(57)【要約】【課題】操作性の向上を図ることができるカメラ本体および撮像装置を提供する。【解決手段】カメラ本体３は、表示部２０と、ボディーマイコン１０と、を備えている。表示部２０は光学系Ｌの焦点距離を表すズーム表示バー１０５を表示可能である。ボディーマイコン１０は、ユーザーがズームリング６４を操作する際にズームリング６４が動く方向と、表示部２０に表示されるズーム表示バー１０５がズームリング６４の操作に応じて変化する変化方向と、が概ね一致するように、表示部２０を制御する。【選択図】図２
2012177929.tif 000002
【特許請求の範囲】
【請求項１】
操作部材を操作することにより光学系の状態を変更可能なレンズ鏡筒とともに撮像装置に用いられるカメラ本体であって、
前記光学系の状態を表す状態指標部およびスルー画像を表示可能な表示部と、
ユーザーが前記操作部材を操作する際に前記状態指標部を表示するように前記表示部を制御する制御部と、
を備え、
前記レンズ鏡筒は、前記光学系の焦点距離を変更できる全部の範囲を示す焦点距離情報を含むレンズ情報を記憶する記憶部を有しており、
前記状態指標部は、前記光学系の前記焦点距離を数値情報として表しており、前記焦点距離情報を示す表示メータをさらに有しており、
前記制御部は、前記操作部材が操作されると前記状態指標部を表示すると共に、前記操作部材の操作が終了後に前記状態指標部の表示を自動的に消去するように制御する、
カメラ本体。
【請求項２】
操作部材を操作することにより光学系の状態を変更可能なレンズ鏡筒とともに撮像装置に用いられるカメラ本体であって、
前記光学系の状態を表す状態指標部およびスルー画像を表示可能な表示部と、
ユーザーが前記操作部材を操作する際に前記状態指標部を表示するように前記表示部を制御する制御部と、
半押しと全押しの少なくとも２段階の操作が可能なシャッターボタンと、
を備え、
前記レンズ鏡筒は、前記光学系の焦点距離を変更できる全部の範囲を示す焦点距離情報を含むレンズ情報を記憶する記憶部を有しており、
前記状態指標部は、前記光学系の前記焦点距離を数値情報として表しており、前記焦点距離情報を示す表示メータをさらに有しており、
前記制御部は、前記状態指標部が表示されている状態で、前記シャッターボタンが半押し操作されると、前記状態指標部の表示を自動的に消去するように制御する、
カメラ本体。
【請求項３】
操作部材を操作することにより光学系の状態を変更可能なレンズ鏡筒とともに撮像装置に用いられるカメラ本体であって、
前記光学系の状態を表す状態指標部およびスルー画像を表示可能な表示部と、
ユーザーが前記操作部材を操作する際に前記状態指標部を表示するように前記表示部を制御する制御部と、
を備え、
前記レンズ鏡筒は、焦点が合う前記光学系の物点距離を変更できる全部の範囲を示す物点距離情報を含むレンズ情報を記憶する記憶部を有しており、
前記状態指標部は、前記光学系の前記物点距離を数値情報として表しており、前記物点距離情報を示す表示メータをさらに有しており、
前記制御部は、前記操作部材が操作されると前記状態指標部を表示すると共に、前記操作部材の操作が終了後に前記状態指標部の表示を自動的に消去するように制御する、
カメラ本体。
【請求項４】
操作部材と、被写体の光学像を形成する光学系と、前記操作部材の操作に応じて前記光学系の状態を変化させる状態変更部と、を有するレンズ鏡筒と、
請求項１から３のいずれかに記載のカメラ本体と、
を備えた撮像装置。
【発明の詳細な説明】
【技術分野】
【０００１】
本発明は、光学系の状態を変更可能な撮像装置に関する。
【背景技術】
【０００２】
近年、交換レンズ式のデジタルカメラが急速に普及している。このデジタルカメラでは、ユーザーがファインダを用いて被写体を観察する時には、反射ミラーにより光路が変更される。具体的には、光学系を通った光（すなわち被写体像）が光路上に配置された反射ミラーにより反射される。反射された光はペンタプリズムなどを通って正像に変換され、光学ファインダに導かれる。これにより、ユーザーは、光学系を通った被写体像を光学ファインダから見ることができる。したがって通常は、ファインダ用光路を形成する位置が反射ミラーの定位置となっている。
【０００３】
一方、レンズを撮影用として使用する場合は、反射ミラーが瞬時に位置を変え、撮影用光路から退避することで、ファインダ用光路を撮影用光路に切り換え、撮影が終了すると定位置に瞬時に戻る。この方式は、一眼レフ方式であれば、従来の銀塩カメラでも、デジタルカメラでも同様である。
デジタルカメラの特徴の一つは、撮影時に表示装置（例えば、液晶モニタ）を見ながら撮影し、撮影後にすぐに撮影画像を確認できることが挙げられる。しかし、これまでの一眼レフの反射ミラーの方式を用いると、撮影時に、液晶モニタを使用できない。このように、液晶モニタを用いて撮影できないことにより、ファインダを覗いて撮影することになるため、とりわけ、デジタルカメラの撮影に不慣れな初心者にとっては、従来の交換レンズ式デジタルカメラは非常に使いにくい。また昨今は、静止画撮影のみならず、動画撮影なども機能も望まれている。
【０００４】
そこで、液晶モニタを見ながら撮影できるデジタル一眼レフカメラが提案されている（例えば、特許文献１を参照）。
しかし、交換レンズ式のデジタルカメラにおいて、液晶モニタを用いて撮影する場合には、従来のようにファインダを覗いて撮影する場合に比べ、ユーザーとデジタルカメラとの距離が離れるため、ユーザーが交換レンズを直接見ながら操作することが困難となる。また、デジタルカメラを小型化するために、ズームリングやフォーカスリングの状態を示す数値が省略される場合もある。これらの場合、ユーザーがズーム倍率（焦点距離）や物点距離（以下、被写体距離ともいう）を変更しようとする際に、交換レンズの操作部材をどちらの方向へ動かせばよいかがわかりにくく、操作性が低下する。
【０００５】
そこで、ズームレバーが操作されている方向およびズーム位置が文字およびキャラクターパターンを用いて表示部に表示されるデジタルカメラが提案されている（例えば、特許文献２を参照）。
また、フォーカスリングの操作方向の設定を任意に選択できるデジタルカメラが提案されている（例えば、特許文献３を参照）。
【先行技術文献】
【特許文献】
【０００６】
【特許文献１】特開２００１−１２５１７３号公報
【特許文献２】特開平５−１５３４５６号公報
【特許文献３】特開平５−１８１０４７号公報
【発明の概要】
【発明が解決しようとする課題】
【０００７】
しかし、特許文献２に記載のデジタルカメラでは、ズームレバーが操作されている方向およびズーム位置が表示部に表示されるが、操作方向の表示はズームレバーの操作方向と関連しておらず、ズーム位置の表示を見ても、どちらの方向へズームレバーを操作すればよいかユーザーが理解しにくい。
また、特許文献３に記載のデジタルカメラでは、フォーカスリングの操作方向の設定を任意に選択できるだけであり、フォーカスリングの操作方向と物点距離の増減との関係をユーザーが認識しにくい。
【０００８】
以上に説明したように、従来の撮像装置では、光学系の状態を変化させる際の操作方向をユーザーが認識しにくいため、操作性の向上が望まれている。
本発明の課題は、操作性の向上を図ることができるカメラ本体および撮像装置を提供することにある。
【課題を解決するための手段】
【０００９】
本発明に係るカメラ本体は、操作部材を操作することにより光学系の状態を変更可能なレンズ鏡筒とともに撮像装置に用いられる。このカメラ本体は、表示部と、制御部と、を備えている。表示部は光学系の状態を表す状態指標部およびスルー画像を表示可能である。制御部は、ユーザーが操作部材を操作する際に状態指標部を表示するように表示部を制御する。レンズ鏡筒は、光学系の焦点距離を変更できる全部の範囲を示す焦点距離情報を含むレンズ情報を記憶する記憶部を有している。状態指標部は、光学系の焦点距離を数値情報として表しており、焦点距離情報を示す表示メータをさらに有している。制御部は、操作部材が操作されると状態指標部を表示すると共に、操作部材の操作が終了後に状態指標部の表示を自動的に消去するように制御する。
【００１０】
本発明に係るカメラ本体は、操作部材を操作することにより光学系の状態を変更可能なレンズ鏡筒とともに撮像装置に用いられる。このカメラ本体は、光学系の状態を表す状態指標部およびスルー画像を表示可能な表示部と、ユーザーが操作部材を操作する際に状態指標部を表示するように表示部を制御する制御部と、半押しと全押しの少なくとも２段階の操作が可能なシャッターボタンと、を備えている。レンズ鏡筒は、光学系の焦点距離を変更できる全部の範囲を示す焦点距離情報を含むレンズ情報を記憶する記憶部を有している。状態指標部は、光学系の焦点距離を数値情報として表しており、焦点距離情報を示す表示メータをさらに有している。制御部は、状態指標部が表示されている状態で、シャッターボタンが半押し操作されると、状態指標部の表示を自動的に消去するように制御する。
【００１１】
本発明のカメラ本体は、操作部材を操作することにより光学系の状態を変更可能なレンズ鏡筒とともに撮像装置に用いられる。このカメラ本体は、光学系の状態を表す状態指標部およびスルー画像を表示可能な表示部と、ユーザーが操作部材を操作する際に状態指標部を表示するように表示部を制御する制御部と、を備えている。レンズ鏡筒は、焦点が合う光学系の物点距離を変更できる全部の範囲を示す物点距離情報を含むレンズ情報を記憶する記憶部を有している。状態指標部は、光学系の物点距離を数値情報として表しており、物点距離情報を示す表示メータをさらに有している。制御部は、操作部材が操作されると状態指標部を表示すると共に、操作部材の操作が終了後に状態指標部の表示を自動的に消去するように制御する。
【００１２】
ここで、「光学系の状態」とは、例えば光学系の焦点距離および焦点が合う物点距離が考えられる。操作方向と変化方向とが概ね一致する状態には、例えば、操作方向と変化方向とが完全に一致している状態の他に、操作性が向上するという効果が得られる範囲で、操作方向と変化方向とがずれている状態も含まれる。操作方向および変化方向としては、直線的な方向、所定の基準点を中心とした円弧に沿った方向、所定の基準点を中心とした回転方向などが考えられる。
【発明の効果】
【００１３】
このカメラ本体および撮像装置では、操作性を向上させることができる。
【図面の簡単な説明】
【００１４】
【図１】デジタルカメラの概略構成図
【図２】カメラ本体の概略構成図
【図３】デジタルカメラの斜視図
【図４】（Ａ）カメラ本体の上面図、（Ｂ）カメラ本体の背面図
【図５】交換レンズユニットの広角端における断面図
【図６】交換レンズユニットの望遠端における断面図
【図７】フォーカスレンズユニットの分解斜視図
【図８】フォーカスレンズユニットの斜視図
【図９】超音波アクチュエータユニットの斜視図
【図１０】超音波アクチュエータユニットの平面図
【図１１】ズーム表示バーの表示例
【図１２】（Ａ）ズームリングの操作方向を示す図、（Ｂ）ズーム表示バーの表示例
【図１３】ズーム表示バーの表示例
【図１４】（Ａ）ズームリングの操作方向を示す図、（Ｂ）ズーム表示バーの表示例
【図１５】（Ａ）ズームリングの操作方向を示す図、（Ｂ）ズーム表示バーの表示例
【図１６】ズーム表示バーの表示例
【図１７】ズーム表示バーの表示例
【図１８】フォーカス表示バーの表示例
【図１９】（Ａ）フォーカスリングの操作方向を示す図、（Ｂ）フォーカス表示バーの表示例
【図２０】フォーカス表示バーの表示例
【図２１】（Ａ）フォーカスリングの操作方向を示す図、（Ｂ）フォーカス表示バーの表示例
【図２２】（Ａ）フォーカスリングの操作方向を示す図、（Ｂ）フォーカス表示バーの表示例
【図２３】フォーカス表示バーの表示例
【図２４】フォーカス表示バーの表示例
【発明を実施するための形態】
【００１５】
以下、本発明の実施の形態について図面を参照しながら、詳細に説明する。
〔第１実施形態〕
＜１：デジタルカメラの全体構成＞
図１に示すように、デジタルカメラ１（撮像装置の一例）は、交換レンズ式のデジタルカメラであり、主に、デジタルカメラ１の主要な機能を有するカメラ本体３と、カメラ本体３に取り外し可能に装着された交換レンズユニット２（レンズ鏡筒の一例）と、を有している。交換レンズユニット２は、最後部に設けられたレンズマウント７１を介して、カメラ本体３の前面に設けられたボディーマウント４に装着されている。
【００１６】
（１．１：交換レンズユニット）
図１に示すように、交換レンズユニット２は、光学系Ｌと、ズームレンズ駆動制御部９７と、フォーカスレンズ駆動制御部４１と、絞り駆動制御部４２と、レンズマイコン４０と、第１回転検出部６５と、第２回転検出部６８と、を有している。
光学系Ｌはカメラ本体３の撮像センサ１１に被写体像を結ぶ。ズームレンズ駆動制御部９７は焦点距離を変更するために光学系Ｌの第１レンズ群Ｌ１(後述)を駆動する。フォーカスレンズ駆動制御部４１はフォーカシングを行うために光学系Ｌの第２レンズ群Ｌ２（後述）を駆動する。絞り駆動制御部４２は絞り部４３の絞り量を調節する。レンズマイコン４０は交換レンズユニット２の各部の動作を制御する。
【００１７】
レンズマイコン４０は、交換レンズユニット２の中枢を司る制御装置であり、交換レンズユニット２に搭載された各部に接続されている。具体的には、レンズマイコン４０には、ＣＰＵ、ＲＯＭ、ＲＡＭが搭載されており、ＲＯＭに格納されたプログラムがＣＰＵに読み込まれることで、様々な機能を実現することができる。また、レンズマウント７１に設けられた電気切片（図示せず）を介してボディーマイコン１０およびレンズマイコン４０は電気的に接続されており、互いに情報の送受信が可能となっている。
【００１８】
また、レンズマイコン４０内のメモリ４４には、交換レンズユニット２に関する各種情報（レンズ情報）が格納されている。具体的にはメモリ４４には、焦点距離情報および物点距離情報が記憶されている。焦点距離情報は、交換レンズユニット２の焦点距離の最大値および最小値を含んでいる。物点距離情報は、交換レンズユニット２の物点距離の最大値および最小値を含んでいる。
【００１９】
さらに、メモリ４４には、ズームリング６４（後述）の光軸ＡＺ中心の回転方向（図３に示すＡ方向、あるいはＢ方向）と回転角度に関する情報、および、ズームリング６４の回転方向と焦点距離の増減する方向との関係を表す操作方向情報も記憶されている。
ここで、図３に示すように、交換レンズユニット２については、光軸ＡＺに沿ってカメラ本体３側から交換レンズユニット２を見た場合の時計回り方向をＡ方向、反時計回り方向をＢ方向とする。
【００２０】
このメモリ４４に記憶されている各種情報については、交換レンズユニット２がカメラ本体３に取り付けられた際に、レンズマイコン４０からボディーマイコン１０へ送信される。これにより、ボディーマイコン１０は交換レンズユニット２の各種情報を把握することができる。各種情報は撮影時に使用される。
図５から図１０を用いて、交換レンズユニット２の概略構造について説明する。図５に示すように、交換レンズユニット２の光軸ＡＺに平行な方向をＺ軸方向（物体側を正側、像面側を負側とする）とするＸＹＺ３次元直交座標系を設定する。
【００２１】
交換レンズユニット２には、４つのレンズ群を有する光学系Ｌが搭載されている。具体的には、交換レンズユニット２には、第１レンズ群Ｌ１と、第２レンズ群Ｌ２と、第３レンズ群Ｌ３と、第４レンズ群Ｌ４と、を有している。変倍を行うために、第１レンズ群Ｌ１、第２レンズ群Ｌ２、第３レンズ群Ｌ３および第４レンズ群Ｌ４は、光軸ＡＺ上をＺ軸方向に移動する。フォーカシングを行うために、第２レンズ群Ｌ２は光軸ＡＺ上をＺ軸方向に移動する。
【００２２】
交換レンズユニット２は、光学系Ｌを支持するレンズ支持機構４５を有している。具体的には図５および図６に示すように、レンズ支持機構４５は、固定枠５０と、第１直進枠５２と、第１回転枠５３と、第１ホルダー５４と、第２回転枠５５と、第１レンズ支持枠５７と、第２レンズ支持枠５８と、第３レンズ支持枠５９と、第４レンズ支持枠６０と、第２ホルダー６１と、フィルターマウント６２と、ズームリングユニット６３と、フォーカスリングユニット６６と、レンズマウント７１と、を有している。
【００２３】
第１回転枠５３は、第１直進枠５２の外周側に同軸上に配置されており、第１直進枠５２により光軸ＡＺ回りに相対回転可能に支持されている。
第１ホルダー５４は、第１回転枠５３の外周側に同軸上に配置されており、第１直進枠５２により光軸ＡＺ回りの相対回転を規制されている。第１回転枠５３が光軸ＡＺを中心に回転すると、第１ホルダー５４は第１直進枠５２に対して回転することなく（第１回転枠５３に対して回転しながら）Ｚ軸方向に移動する。第１ホルダー５４のＺ軸方向負側の部分には、円周方向に等ピッチで（例えば１２０゜間隔で）配置された３つのカムピン５４ａが設けられている。
【００２４】
第２ホルダー６１は、第１直進枠５２の内周側に同軸上に配置されており、第１直進枠５２により光軸ＡＺ回りの相対回転が規制されている。第２ホルダー６１は、円周方向に等ピッチで配置された３本のカムピン６１ａを有している。カムピン６１ａは第１直進枠５２の貫通直進溝５２ｃおよび第１回転枠５３の貫通カム溝５３ｂに挿入されている。このため、第１回転枠５３が光軸ＡＺを中心に回転すると、第２ホルダー６１は第１直進枠５２に対して回転することなく（第１回転枠５３に対して回転しながら）Ｚ軸方向に移動する。
【００２５】
第１直進枠５２は、固定枠５０の外周側に同軸上に配置されており、固定枠５０、第２回転枠５５および第３レンズ支持枠５９により支持されている。第１直進枠５２は、固定枠５０により光軸ＡＺ回りの相対回転が規制されている。第１回転枠５３が光軸ＡＺ回りに回転すると、第１直進枠５２は固定枠５０に対して回転することなくＺ軸方向に移動する。
【００２６】
第２回転枠５５は、固定枠５０の内周側に同軸上に配置されており、固定枠５０により支持されている。第１回転枠５３が光軸ＡＺを中心に回転すると、第２回転枠５５は固定枠５０に対して光軸ＡＺ回りに回転しながらＺ軸方向に移動する。
第３レンズ支持枠５９は、第２回転枠５５の内周側に同軸上に配置されており、固定枠５０により光軸ＡＺ回りの相対回転が規制されている。第１回転枠５３が光軸ＡＺ回りに回転すると、第３レンズ支持枠５９は固定枠５０に対して回転することなくＺ軸方向に移動する。
【００２７】
第４レンズ支持枠６０は、第２回転枠５５の内周側に同軸上に配置されており、第３レンズ支持枠５９により光軸ＡＺ回りの相対回転が規制されている。第１回転枠５３が光軸ＡＺ回りに回転すると、第４レンズ支持枠６０は第３レンズ支持枠５９に対して回転することなくＺ軸方向に移動する。
第１レンズ支持枠５７は、第１ホルダー５４の端部に固定されており、第１レンズ群Ｌ１を支持している。第２レンズ支持枠５８は第２レンズ群Ｌ２を支持している。第２レンズ支持枠５８には、後述する超音波アクチュエータユニット８０と、その円周上の略反対側の位置に配置された廻り止め部５８ａと、が設けられている。
【００２８】
第３レンズ支持枠５９は、第３レンズ群Ｌ３を支持しており、円周方向に等ピッチで（例えば１２０゜間隔で）配置された３本のカムピン５９ａを有している。第４レンズ支持枠６０は、第４レンズ群Ｌ４を支持しており、円周方向に等ピッチで（例えば１２０゜間隔で）配置されたカムピン６０ａを有している。
第１回転枠５３は、円筒形状のカム環であり、光軸ＡＺに対して傾斜する３本の貫通カム溝５３ａおよび５３ｂを有している。貫通カム溝５３ａには第１ホルダー５４のカムピン５４ａが挿入されている。貫通カム溝５３ｂには第２ホルダー６１のカムピン６１ａが挿入されている。第１回転枠５３の端部には、第２回転枠５５のカムピン５５ａが挿入される３本の長穴部５３ｃが設けられている。カムピン５５ａには、１本の長いピンと、２本の短いピンと、があり、１本の長いピンのみが長穴部５３ｃに挿入されている。
【００２９】
第１直進枠５２は、円筒形状のカム環であり、第１ホルダー５４のカムピン５４ａが挿入される３本の貫通直進溝５２ｂが形成されている。貫通直進溝５２ｂと干渉しない位置に、第２ホルダー６１のカムピン６１ａが挿入される３本の貫通直進溝５２ｃが形成されている。第１直進枠５２の端部には、第３レンズ支持枠５９と一体で第１直進枠５２をＺ軸方向に移動させるために、第３レンズ支持枠５９に設けられたカムピン５９ａが挿入される貫通穴５２ｄが設けられている。
【００３０】
固定枠５０には、第１直進枠５２をＺ軸方向に移動させるための３本の貫通直進溝５０ａが成されている。固定枠５０の貫通直進溝５０ａと干渉しない部分に、第２回転枠５５をＺ軸方向に移動させるために、光軸ＡＺに対して傾斜する３本の貫通カム溝５０ｂが円周方向に等ピッチで（例えば１２０゜間隔で）形成されている。
第２回転枠５５には、第３レンズ支持枠５９のカムピン５９ａと係合しＺ軸方向に対して傾斜する３本の貫通カム溝５５ｃが円周方向に等ピッチで（例えば１２０゜間隔で）形成されている。また、第２回転枠５５には、第４レンズ支持枠６０のカムピン６０ａと係合しＺ軸方向に対して傾斜する３本の貫通カム溝５５ｄが円周方向に等ピッチで（例えば１２０゜間隔で）形成されている。
【００３１】
フィルターマウント６２は円筒形状であり、Ｚ軸方向正側（被写体側）には雌ネジが形成されている。雌ネジには、偏光フィルターや保護フィルターなどの光学フィルター、およびコンバージョンレンズが取り付けられる。フィルターマウント６２は、３本の取り付けネジなどにより第１ホルダー５４に固定される。
ズームリングユニット６３は、ズームリング６４と、ズームリング６４の回転角度を検出する第１回転検出部６５（図１）と、を有している。ズームリング６４は、円筒形状を有しており、固定枠５０に固定されたリングベース６９に対してＺ軸方向への移動を規制された状態で光軸ＡＺ回りに回転可能なように、リングベース６９により支持されている。本実施形態においては、ズームリング６４は約９０°回転する。なお、ズームリング６４の回転角度は９０°に限定されない。
【００３２】
ズームリング６４の内周部には凹部（図示せず）が形成されている。凹部には第１回転枠５３の外周部に設けられた凸部（図示せず）が挿入されている。これらの構成により、ズームリング６４は、第１回転枠５３に対して光軸ＡＺ周りに回転可能であるが、第１回転枠５３に対するＺ軸方向の移動が規制されている。
第１回転検出部６５は、ユーザーによるズームリング６４の回転角度および回転方向を検出し、検出した回転角度および回転方向を焦点距離情報としてレンズマイコン４０に送信する。また、ズームリング６４の外周面には、光学系の焦点距離が表示されている。なお、各レンズ群（第１レンズ群Ｌ１〜第４レンズ群Ｌ４）の絶対位置については、ズームリング６４の回転角度と１対１で対応しているため、ズームリング６４の絶対角度を検出するための第１回転検出部６５により検出可能である。
【００３３】
フォーカスリングユニット６６は、フォーカスリング６７と、フォーカスリング６７の回転角度を検出する第２回転検出部６８（図１）と、を有している。フォーカスリング６７は、円筒形状を有しており、固定枠５０に固定されたリングベース６９に対するＺ軸方向への移動は規制された状態で光軸ＡＺ周りに回転可能なように、リングベース６９により支持されている。
【００３４】
第２回転検出部６８は、フォーカスリング６７の回転角度および回転方向を検出可能である。この第２回転検出部６８は、例えば、フォーカスリング６７の全周に一定間隔にてＺ軸方向に形成された突起が、２つのフォトセンサ（図示せず）の構成部分である発光部と受光部との間を通過することにより、突起の通過の有無を検出し、フォーカスリング６７の回転角度および回転方向を検出する。第２回転検出部６８は、ユーザーによるフォーカスリング６７の回転角度および回転方向を検出し、回転角度および回転方向を物点距離情報としてレンズマイコン４０に送信する。
【００３５】
レンズマウント７１は、レンズマウント接点（図示せず）を有し、ボディーマウント４のレンズマウント接点（図示せず）を介して、レンズマイコン４０とボディーマイコン１０との信号の伝達を行う。レンズマウント７１は、マウントベース７０を介して固定枠５０に固定されている。
フォーカスレンズユニット７８は、フォーカス動作に伴いＺ軸方向に移動可能なように設けられており、第２レンズ群Ｌ２と、第２レンズ支持枠５８と、第２ホルダー６１と、ガイドポール７４ａおよび７４ｂと、第３ホルダー７５と、超音波アクチュエータユニット８０と、磁気スケール７６と、磁気センサ７７と、を有している。
【００３６】
第２レンズ支持枠５８は、第２レンズ群Ｌ２（フォーカスレンズ群）を支持している。第３ホルダー７５および第２ホルダー６１に固定されている。ガイドポール７４ｂは、第２レンズ支持枠５８の固定部５８ｂからＺ軸方向に延びており、第３ホルダー７５の孔７５ａに挿入されている。第２レンズ支持枠５８は第３ホルダー７５によりＺ軸方向へ移動可能に支持されている。第２レンズ支持枠５８は、超音波アクチュエータユニット８０によりＺ軸方向に駆動される。
【００３７】
超音波アクチュエータユニット８０は、可動部８０ａと固定部８０ｂとを有している。可動部８０ａは、第２レンズ支持枠５８の固定部５８ｂにネジ止めなどにて固定される。超音波アクチュエータユニット８０に所定の電流を流すことにより、固定部８０ｂに対して可動部８０ａがＺ軸方向に移動し、それに伴い第２レンズ支持枠５８がＺ軸方向に駆動される。
【００３８】
磁気スケール７６および磁気センサ７７により、第３ホルダー７５に対する第２レンズ支持枠５８の位置を検出する位置検出ユニットが構成されている。磁気スケール７６は、第２レンズ支持枠５８に固定されており、Ｚ軸方向に等間隔に着磁されている。磁気センサ７７は、磁気スケール７６の信号を検出するＭＲセンサなどであり、第３ホルダー７５に固定されている。磁気センサ７７は磁気スケール７６と所定の間隔を保つように設けられている。磁気センサ７７により位置検出を行いフィードバック制御を行うことにより、高速応答性に加え、高分解能、高精度、低騒音、高トルクなリニアアクチュエータを実現することが可能となる。これにより、デジタルカメラ１として優れたフォーカス特性を得ることができる。
【００３９】
なお、第２ホルダー６１に対する第２レンズ群Ｌ２の位置、つまり第２レンズ支持枠５８の原点位置は、図示せぬフォトセンサなどにより検出することができる。また、原点位置からの相対位置については、磁気センサ７７からの出力値をカウントすることにより、第２レンズ群Ｌ２がどの位置にいるかを常に検出することができる。
次に、図７および図１０を用いて、超音波アクチュエータユニット８０について説明する。
【００４０】
図９および図１０に示すように、超音波アクチュエータユニット８０において、ＰＺＴや水晶などの圧電材料からなる圧電素子８１の表面の２箇所に略球形状の駆動子８２が設けられている。この２箇所とは圧電素子８１の屈曲振動の腹の略中心に該当する箇所であり、この箇所に駆動子８２を設けることで圧電素子８１の振動をより有効に活用することができる。
【００４１】
駆動子８２の材料としては、例えば、ジルコニア、アルミナ、窒化ケイ素、炭化ケイ素、タングステンカーバイドなどが挙げられる。また、駆動子８２の形状は略球形状であるが、略球形状とすることにより、圧電素子８１の長さ方向との接触面積を小さくできる。これにより圧電素子８１の屈曲振動を阻害しにくくなり、その結果、超音波アクチュエータとしての効率を向上させることができる。
【００４２】
圧電素子８１の前面には４分割された給電電極８８が設けられており、この給電電極８８に、はんだ８６にてワイヤー８９が接続されている。ワイヤー８９は内ケース８４に設けられた貫通穴（図示せず）から外部へ導出されている。このワイヤー８９を通じて圧電素子８１の給電電極８８に電圧を供給することにより、圧電素子８１が印加電圧の周波数に応じて振動する。圧電素子８１においてはんだ８６が形成されている部分は、伸縮振動および屈曲振動のノード部周辺である。ワイヤー８９を接続する部位としてこのノード部を使用することにより、圧電素子８１の振動におよぼす悪影響、すなわち、はんだ８６形成による圧電素子８１への不要な負荷をできるだけ抑制することができる。
【００４３】
超音波アクチュエータユニット８０は、主に、可動部８０ａと、固定部８０ｂと、を有している。可動部８０ａは、圧電素子８１、駆動子８２、内ケース８４、外ケース９０、ガイドボール９１、リテーナー９２、外ケース蓋９３を有している。固定部８０ｂは、可動体８３、摺動板９４、ガイドポール７４ａを有している。
駆動子８２は可動体８３を支持しており、圧電素子８１の振動により駆動子８２が略楕円運動をすることにより、可動体８３に対して駆動子８２はＺ軸方向に往復運動する。すなわち、圧電素子８１の伸縮振動の振動方向と可動体８３の可動方向が同方向である。また、屈曲振動の振動方向が可動体８３に対する可動方向と垂直であり、且つ圧電素子８１と可動体８３を結ぶ方向（つまり、駆動子８２が可動体８３を支持する方向）である。
【００４４】
可動体８３の材料としてはアルミナが挙げられる。駆動子８２にアルミナを用いる場合、磨耗の観点から、可動体８３のアルミナは駆動子８２のアルミナよりも柔らかいものを用いることが望ましい。
圧電素子８１は内ケース８４に収容されており、内ケース８４内に設けた支持体８５により圧電素子８１は支持されている。支持体８５は、例えば導電性シリコンゴムなどである。すなわち、圧電素子８１の伸縮方向が可動体８３の可動方向と同方向（Ｚ軸方向、光軸ＡＺに沿った方向）になるように圧電素子８１が内ケース８４内に配置されている。この可動体８３の可動方向と同方向の内ケース８４内壁面に、壁面支持体８５ａ、８５ｃが設けられており、内壁面に側圧が作用する。内ケース８４の内底面には、裏面支持体８５ｂが設けられており、圧電素子８１を支持することで与圧が作用する。裏面支持体８５ｂは、この２個の駆動子８２が略同一圧力にて可動体８３を支持するように設けられており、これにより可動体８３を安定して動作させることができる。
【００４５】
内ケース８４は、外ケース９０内に固定される。可動体８３の上部には、円筒形状のガイドポール７４ａが配置されている。ガイドポール７４ａの上側には、リテーナー９２にて保持された２個のガイドボール９１が設けられている。ガイドボール９１の上部には、外ケース蓋９３が設けられている。外ケース蓋９３とガイドポール７４ａとの間にガイドボール９１は挟み込まれている。このため、ガイドポール７４ａにはガイドボール９１を介して与圧が作用している。これにより、ガイドポール７４ａと可動体８３とは、所定の圧力にて圧接固定されている。
【００４６】
外ケース９０の両端側には、ガイドポール７４ａを支持する軸受け部９０ａ、９０ｂが設けられており、外ケース９０は、ガイドポール７４ａに対してＺ軸方向に移動可能である。つまり、駆動子８２が楕円運動することにより、可動体８３とガイドポール７４ａからなる固定部８０ｂに対して、可動部８０ａは、光軸ＡＺに沿った方向に往復運動することが可能となる。
【００４７】
ここで、上記構成の超音波アクチュエータユニット８０の動作について説明する。圧電素子８１の特定の給電電極に、特定の周波数の交流電圧を印加することにより圧電素子８１は、屈曲振動の２次モード、および伸縮振動の１次モードが誘起される。屈曲振動の共振周波数、および伸縮振動の共振周波数は、それぞれ圧電素子の材料、形状などにより決定されるが、この２つの周波数を略一致させ、その近傍の周波数の電圧を印加させることにより、圧電素子８１には、屈曲２次モードと伸縮１次モードが調和的に誘起される。その結果、圧電素子８１に設けられた駆動子８２が紙面方向から見て略楕円運動を起こす。すなわち、圧電素子８１の屈曲振動と伸縮振動の合成により駆動子８２が楕円運動を起こす。この楕円運動により、可動体８３に対して、駆動子８２などにより構成されている可動部８０ａが、Ｚ軸方向に往復可動し、第２レンズ群Ｌ２と一体となって移動する。
（１．２：カメラ本体）
図１および図２に示すように、カメラ本体３は主に、被写体を撮像する撮像部３５と、撮像部３５などの各部の動作を制御する本体制御部としてのボディーマイコン１０と、撮影された画像や各種情報を表示する画像表示部３６と、画像データを格納する画像格納部３７と、被写体像を視認するファインダ部３９と、を有している。
【００４８】
撮像部３５は主に、光電変換を行うＣＣＤ（Charge Coupled Device）などの撮像センサ１１と、撮像センサ１１の露光状態を調節するシャッターユニット３３と、ボディーマイコン１０からの制御信号に基づいてシャッターユニット３３の駆動を制御するシャッター制御部３１と、撮像センサ１１の動作を制御する撮像センサ駆動制御部１２と、を有している。本実施の形態における合焦方式については、撮像センサ１１で生成された画像データに基づいて、コントラスト方式のオートフォーカスが用いられる。コントラスト方式を用いることにより、精度の良いフォーカス動作を実現することができる。
【００４９】
撮像センサ１１は、光学系Ｌにより形成される光学的な像を電気的な信号に変換する、例えばＣＣＤ（Charge Coupled Device）センサである。撮像センサ１１は、撮像センサ駆動制御部１２により発生されるタイミング信号により駆動制御される。なお、撮像センサ１１はＣＭＯＳ（Complementary Metal Oxide Semiconductor）センサでもよい。
ボディーマイコン１０は、カメラ本体３の中枢を司る制御装置であり、各種シーケンスをコントロールする。具体的には、ボディーマイコン１０にはＣＰＵ、ＲＯＭ、ＲＡＭが搭載されており、ＲＯＭに格納されたプログラムがＣＰＵに読み込まれることで、ボディーマイコン１０は様々な機能を実現することができる。例えば、ボディーマイコン１０は、交換レンズユニット２がカメラ本体３に装着されたことを検知する機能、あるいは交換レンズユニット２からメモリ４４に記憶されたレンズ情報を取得する機能を有している。前述のように、レンズ情報には、操作方向情報、焦点距離情報および物点距離情報が含まれている。ボディーマイコン１０は、レンズ情報に基づいてズーム表示バー１０５の表示形態を調節する機能も有している。この機能については後述する。
【００５０】
ボディーマイコン１０は、電源スイッチ２５、シャッターボタン３０、動作モード切換レバー２６、十字操作キー２７、ＭＥＮＵ設定ボタン２８およびＳＥＴボタン２９の信号を、それぞれ受信可能である。また、ボディーマイコン１０のメモリ３８には、カメラ本体３に関する各種情報が格納されている。ボディーマイコン１０は、画像表示制御部２１とともに、表示部２０を制御する制御部を実現している。
【００５１】
ボディーマイコン１０は、シャッターボタン３０などの操作部材からの指示に応じて、撮像センサ１１などを含むデジタルカメラ１全体を制御する。ボディーマイコン１０は、垂直同期信号をタイミング発生器に送信する。これと並行して、ボディーマイコン１０は、垂直同期信号に基づいて、露光同期信号を生成する。ボディーマイコン１０は、生成した露光同期信号を、ボディーマウント４およびレンズマウント７１を介して、レンズマイコン４０に所定の周期で送信する。
【００５２】
ボディーマウント４は、交換レンズユニット２のレンズマウント７１と機械的および電気的に接続可能である。ボディーマウント４は、レンズマウント７１を介して、交換レンズユニット２との間で、データを送受信可能である。例えば、ボディーマウント４は、ボディーマイコン１０から受信した露光同期信号をレンズマウント７１を介してレンズマイコン４０に送信する。ボディーマイコン１０から受信したその他の制御信号をレンズマウント７１を介してレンズマイコン４０に送信する。ボディーマウント４は、レンズマウント７１を介してレンズマイコン４０から受信した信号をボディーマイコン１０に送信する。ボディーマウント４は、電源ユニット（図示せず）から受けた電力をレンズマウント７１を介して交換レンズユニット２全体に供給する。
【００５３】
図４において、カメラ本体３の筐体３ａは、被写体を撮影する際にユーザーによって支持される。筐体３ａの背面には、表示部２０と、電源スイッチ２５と、動作モード切換レバー２６と、十字操作キー２７と、ＭＥＮＵ設定ボタン２８と、ＳＥＴボタン２９と、が設けられている。
電源スイッチ２５は、デジタルカメラ１あるいはカメラ本体３の電源の入切を行うためのスイッチである。電源スイッチ２５により電源がＯＮ状態になると、カメラ本体３および交換レンズユニット２の各部に電源が供給される。動作モード切換レバー２６は、撮影モードまたは再生モードに切り換えるためのボタンであり、ユーザーはレバーを回動させて切り換えることができる。ＭＥＮＵ設定ボタン２８は、デジタルカメラ１の各種動作を設定するためのボタンである。十字操作キー２７は、ユーザーが上下左右の部位を押圧して、表示部２０に表示された各種メニュー画面から所望のメニューを選択するための操作部材である。ＳＥＴボタン２９は、各種メニューの実行を確定するためのボタンである。
【００５４】
図４（Ｂ）に示すように、筐体３ａの上面には、シャッターボタン３０が設けられる。シャッターボタン３０が操作されると、タイミング信号がボディーマイコン１０に出力される。シャッターボタン３０は半押し操作と全押し操作が可能な２段式のスイッチである。ユーザーがシャッターボタン３０を半押し操作すると測光処理および測距処理が開始される。続いてユーザーがシャッターボタン３０を全押し操作するとタイミング信号が出力される。シャッター制御部３１は、タイミング信号を受信したボディーマイコン１０から出力される制御信号に従って、シャッター駆動アクチュエータ３２を駆動し、シャッターユニット３３を動作させる。
【００５５】
図２に示すように、撮像センサ１１から出力された画像信号は、アナログ信号処理部１３から、Ａ／Ｄ変換部１４、デジタル信号処理部１５、バッファメモリ１６、画像圧縮部１７へと、順次送られて処理される。アナログ信号処理部１３は、撮像センサ１１から出力される画像信号にガンマ処理などのアナログ信号処理を施す。Ａ／Ｄ変換部１４は、アナログ信号処理部１３から出力されたアナログ信号をデジタル信号に変換する。デジタル信号処理部１５は、Ａ／Ｄ変換部１４によりデジタル信号に変換された画像信号に対してノイズ除去や輪郭強調などのデジタル信号処理を施す。バッファメモリ１６は、ＲＡＭ（Random Access Memory）であり、画像信号を一旦記憶する。バッファメモリ１６に記憶された画像信号は、画像圧縮部１７から画像記録部１８へと、順次送られて処理される。バッファメモリ１６に記憶された画像信号は、画像記録制御部１９の指令により読み出されて、画像圧縮部１７に送信される。画像圧縮部１７に送信された画像信号のデータは、画像記録制御部１９の指令に従って画像信号に圧縮処理される。画像信号は、この圧縮処理により、元のデータより小さなデータサイズになる。かかる圧縮方式として、例えばＪＰＥＧ（Joint Photographic Experts Group）方式が用いられる。また、複数のフレームの画像信号をまとめて圧縮するＨ．２６４／ＡＶＣ方式を用いることもできる。圧縮された画像信号は、画像記録制御部１９により画像記録部１８に記録される。
【００５６】
画像記録部１８は、画像記録制御部１９の指令に基づいて、画像信号と記録すべき所定の情報とを関連付けて記録する、例えば内部メモリおよび／または着脱可能なリムーバブルメモリである。なお、画像信号とともに記録すべき所定の情報には、画像を撮影した際の日時と、焦点距離情報と、シャッタースピード情報と、絞り値情報と、撮影モード情報とが含まれる。これらの情報の形式は、例えばＥｘｉｆ（登録商標）形式やＥｘｉｆ（登録商標）形式に類する形式である。また、動画ファイルは、例えばＨ．２６４／ＡＶＣ形式やＨ．２６４／ＡＶＣ形式に類する形式である。
【００５７】
表示部２０は、例えば液晶モニタであり、画像表示制御部２１からの指令に基づいて、画像記録部１８あるいはバッファメモリ１６に記録された画像信号を可視画像として表示する。ここで表示部２０の表示形態としては、画像信号のみを可視画像として表示する表示形態と、画像信号と撮影時の情報とを可視画像として表示する表示形態とがある。
＜２：デジタルカメラの動作＞
図１〜図６を用いてデジタルカメラ１の撮影動作について説明する。
【００５８】
（２．１：撮影モード）
このデジタルカメラ１は、２つの撮影モードを有する。１つ目は、ユーザーがファインダ接眼窓９を観察しながら撮影するファインダ撮影モードである。ファインダ撮影モードにおいては、画像表示制御部２１が、例えば液晶ファインダ８を駆動することにより実現される。一方、２つ目のモニタ撮影モード（いわゆるライブビューモード）においては、表示部２０には、撮像センサ１１を介して被写体の画像、いわゆるスルー画像が表示される。なお、この２つの撮影モードの切り換えは、撮影モード切換ボタン３４にて行うことができる。
【００５９】
（２．２：モニタ撮影モードの動作）
次に、モニタ撮影モードでの動作について説明する。
表示部２０を用いたモニタ撮影モード（スルー画像モード）におけるオートフォーカス動作の方式としては、コントラスト方式が適している。なぜなら、ライブビューモードでは、定常的に、撮像センサ１１で画像データを生成しており、その画像データを用いたコントラスト方式のオートフォーカス動作をするのが容易だからである。コントラスト方式のオートフォーカス動作を行う際には、ボディーマイコン１０は、レンズマイコン４０に対して、コントラストＡＦ用データを要求する。コントラストＡＦ用データは、コントラスト方式のオートフォーカス動作の際に必要なデータであり、例えば、フォーカス駆動速度、フォーカスシフト量、像倍率、コントラストＡＦ可否情報などが含まれる。
【００６０】
ボディーマイコン１０は、垂直同期信号を定期的に生成する。また、ボディーマイコン１０は、これと並行して、垂直同期信号に基づいて、露光同期信号を生成する。これは、ボディーマイコン１０が垂直同期信号を基準にして、露光開始タイミングと露光終了タイミングとを予め把握しているため、露光同期信号を生成できるのである。ボディーマイコン１０は、垂直同期信号をタイミング発生器（図示せず）に出力し、露光同期信号をレンズマイコン４０に出力する。レンズマイコン４０は、露光同期信号に同期して、第２レンズ群Ｌ２の位置情報を取得する。
【００６１】
撮像センサ駆動制御部１２は、垂直同期信号に基づいて、撮像センサ１１の読み出し信号と電子シャッター駆動信号とを定期的に生成する。撮像センサ駆動制御部１２は、読み出し信号および電子シャッター駆動信号に基づいて、撮像センサ１１を駆動する。すなわち、撮像センサ１１は、読み出し信号に応じて、撮像センサ１１内に多数存在する光電変換素子（図示せず）で生成された画素データを垂直転送部（図示せず）に読み出す。
【００６２】
以上に説明した状態で、ボディーマイコン１０は、シャッターボタン３０が半押しされるかどうかを監視する。シャッターボタン３０が半押しされた場合、ボディーマイコン１０は、レンズマイコン４０に対して、オートフォーカス開始コマンドを発信する。オートフォーカス開始コマンドは、コントラスト方式のオートフォーカス動作を開始する旨を示すコマンドである。これを受けて、レンズマイコン４０は、フォーカス用のアクチュエータである超音波アクチュエータユニット８０を駆動制御する。ボディーマイコン１０は、受信した画像データに基づいて、オートフォーカス動作用の評価値（以下、ＡＦ評価値という）を算出する。具体的には、撮像センサ１１で生成された画像データから輝度信号を求め、輝度信号の画面内における高周波成分を積算して、ＡＦ評価値を求める方法が知られている。この算出したＡＦ評価値は、露光同期信号と関連付けた状態でＤＲＡＭ（図示せず）に保存される。そして、レンズマイコン４０から取得したレンズ位置情報も露光同期信号と関連付けられている。そのため、ボディーマイコン１０は、ＡＦ評価値をレンズ位置情報と関連付けて保存することができる。
【００６３】
次に、ボディーマイコン１０は、ＤＲＡＭに保存されたＡＦ評価値に基づいて、コントラストピークを求め、合焦点を抽出できたかどうかを監視する。具体的には、ＡＦ評価値が極大値となる第２レンズ群Ｌ２の位置を合焦点として抽出する。このレンズ駆動の方式としては、一般的には山登り方式が知られている。
また、この状態では、デジタルカメラ１は、撮像センサ１１で生成した画像データが示す画像をスルー画像として表示部２０に表示する制御モードで動作し得る。この制御モードをライブビューモードという。ライブビューモードでは、スルー画像が動画で表示部２０に表示されるので、ユーザーは、表示部２０を見ながら静止画像、あるいは動画像を撮像するための構図を決めることができる。表示部２０を用いてライブビューモードの他に、ユーザーが選択できる制御モードとしては、交換レンズユニット２からの被写体像を液晶ビューファインダー（ファインダ部３９）に導くファインダ撮影モード（第２のライブビューモードとも言える）が考えられる。
【００６４】
（２．３：撮影時の動作）
この後、ユーザーによりシャッターボタン３０が全押しされると、測光センサ（図示せず）からの出力に基づいて計算された絞り値にするようボディーマイコン１０からレンズマイコン４０へ命令が送信される。そして、レンズマイコン４０により絞り駆動制御部４２がコントロールされ、指示された絞り値まで絞りを絞り込む。絞り値の指示と同時に、撮像センサ駆動制御部１２から撮像センサ１１の駆動命令が出力され、シャッターユニット３３の動作が指示される。撮像センサ駆動制御部１２は、測光センサ（図示せず）からの出力に基づいて計算されたシャッタースピードの時間だけ、撮像センサ１１を露光する。
【００６５】
露光完了後、撮像センサ駆動制御部１２は、撮像センサ１１から画像データを読み出し、所定の画像処理後、ボディーマイコン１０を介して画像表示制御部２１へ画像データが出力される。これにより、表示部２０へ撮影画像が表示される。また、画像記録制御部１９を介して、記憶媒体に画像データが格納される。また、露光終了後、ボディーマイコン１０により、シャッターユニット３３が初期位置にリセットされる。また、ボディーマイコン１０からレンズマイコン４０へ絞りを開放位置にリセットするよう絞り駆動制御部４２に命令が下され、レンズマイコン４０から各ユニットへリセット命令が下される。リセット完了後、レンズマイコン４０は、ボディーマイコン１０にリセット完了を伝える。ボディーマイコン１０は、レンズマイコン４０からのリセット完了情報と露光後の一連処理の完了を待ち、その後、シャッターボタン３０の状態が、押し込みされていないことを確認し、撮影シーケンスを終了する。
【００６６】
（２．４：ズーム動作）
次に、ユーザーがズーム操作を行う際の交換レンズユニット２の動作を説明する。
ユーザーによりズームリング６４が回転操作されると、ズームリング６４に連結された第１回転枠５３にズームリング６４の回転運動が伝達される。この結果、第１回転枠５３が固定枠５０に対して光軸ＡＺ周りに回転する。このとき、第１回転枠５３は固定枠５０の貫通カム溝５０ｂに案内されるため、第１回転枠５３は固定枠５０に対して光軸ＡＺ周りに回転しながらＺ軸方向に移動する。第１直進枠５２は、第１回転枠５３と一体で固定枠５０に対してＺ軸方向に直進移動する。
【００６７】
また、第１回転枠５３が固定枠５０に対して光軸ＡＺ周りに回転すると、カムピン５４ａが貫通カム溝５３ａに案内される。この結果、第１ホルダー５４と第１ホルダー５４に固定された第１レンズ支持枠５７とが固定枠５０に対してＺ軸方向に直進移動する。さらに、第１回転枠５３が固定枠５０に対して光軸ＡＺ方向周りに回転すると、カムピン６１ａが貫通カム溝５３ｂに案内されるため、第２ホルダー６１および第２レンズ支持枠５８が一体で固定枠５０に対してＺ軸方向に直進移動する。つまり、フォーカスレンズユニット７８が固定枠５０に対してＺ軸方向に移動する。
【００６８】
また、第１回転枠５３が光軸ＡＺ周りに回転すると、カムピン５５ａが貫通カム溝５０ｂに案内される。この結果、第２回転枠５５が、固定枠５０に対して光軸ＡＺ周りに回転しながらＺ軸方向に移動する。
第２回転枠５５が固定枠５０に対して光軸ＡＺ周りに回転すると、カムピン５９ａが貫通直進溝５０ａに案内される。このため、第３レンズ支持枠５９が固定枠５０に対してＺ軸方向に移動する。また、第２回転枠５５が光軸ＡＺ周りに回転すると、カムピン６０ａが貫通カム溝５５ｄに案内され、第４レンズ支持枠６０が固定枠５０に対してＺ軸方向に移動する。
【００６９】
よって、ズームリング６４を回転させることにより、図５に示す広角端の状態から図６に示す望遠端の状態へ、各レンズ群（第１レンズ群Ｌ１〜第４レンズ群Ｌ４）がＺ軸方向に移動し、所定のズーム位置にて撮影することが可能となる。
このとき、焦点距離の変化に関係なく物点距離が実質的に一定に保たれるように、フォーカスレンズユニット７８は、ズームリング６４の回転に伴い、第２ホルダー６１に対してＺ軸方向に移動する。さらに、オートフォーカス時には撮像センサ１１の出力に基づいてコントラスト検出が行われ、超音波アクチュエータユニット８０により第２レンズ群Ｌ２が第２ホルダー６１に対して駆動される。この結果、無限遠にて合焦した状態で、広角端から望遠端、あるいは望遠端から広角端にズームリング６４が操作された場合も、無限遠にて合焦した状態が維持される。つまり、ズームリング６４の回転操作により、フォーカスレンズユニット７８は、第１回転枠５３および第１直進枠５２の移動に伴い、Ｚ軸方向に機械的に移動するとともに、最適な合焦状態となるように、第２レンズ群Ｌ２のみは、超音波アクチュエータユニット８０によりフォーカスレンズユニット７８に対して電気的に駆動される。予め交換レンズユニット２のメモリ４４内に記憶されたトラッキング情報に基づき、超音波アクチュエータユニット８０の駆動は電子的に制御される。同様に、例えば１ｍなどの近距離にて合焦した状態で、広角端から望遠端、あるいはその逆の望遠端から広角端に移動した場合も、超音波アクチュエータユニット８０の駆動により、近距離にて合焦した状態を維持するので、スムーズなズーム動作を行うことが可能となる。
【００７０】
（２．５：フォーカス動作）
次に、デジタルカメラ１のフォーカス動作について説明する。デジタルカメラ１は、オートフォーカスモードおよびマニュアルフォーカスモードの２つのフォーカスモードを有する。カメラ本体３に設けられたフォーカスモード設定ボタンにより、所定の撮影モードを設定する。
【００７１】
オートフォーカスモードでは、シャッターボタン３０の半押し動作に応じて、レンズマイコン４０は、フォーカスレンズ駆動制御部４１へ制御信号を送信し、超音波アクチュエータユニット８０を駆動して、第２レンズ群Ｌ２を微動させてオートフォーカス動作を行う。ボディーマイコン１０は、デジタル信号処理部１５へ指令を送信する。デジタル信号処理部１５は、受信した指令に基づいて所定のタイミングで画像信号をボディーマイコン１０へ送信する。ボディーマイコン１０は、受信した画像信号と、予めズームリングユニット６３から受信した焦点距離情報とに基づいて、光学系Ｌが合焦状態になる第２レンズ群Ｌ２のＺ軸方向の移動量を演算する。ボディーマイコン１０は、演算結果に基づいて制御信号を生成する。ボディーマイコン１０は、制御信号をフォーカスレンズ駆動制御部４１へ送信する。
【００７２】
フォーカスレンズ駆動制御部４１は、ボディーマイコン１０からの制御信号に基づいて、超音波アクチュエータユニット８０を駆動するための駆動信号を生成する。超音波アクチュエータユニット８０は、駆動信号に基づいて駆動される。超音波アクチュエータユニット８０の駆動により、第２レンズ群Ｌ２が自動でＺ軸方向に移動する。
以上のようにして、デジタルカメラ１のオートフォーカスモードによるフォーカシングが行われる。以上の動作は、ユーザーのシャッターボタン３０の半押し動作実行後、瞬時に実行される。ユーザーがシャッターボタン３０を全押し動作すると、ボディーマイコン１０は、撮影処理を実行し、撮影が終了すると、画像記録制御部１９に制御信号を送信する。画像記録部１８は、画像記録制御部１９の指令に基づいて、画像信号を内部メモリおよび／またはリムーバブルメモリに記録する。画像記録部１８は、画像記録制御部１９の指令に基づいて、画像信号とともに撮影モードがオートフォーカスモードである旨の情報を、内部メモリおよび／またはリムーバブルメモリに記録する。
【００７３】
次に、マニュアルフォーカスモード時には、レンズマイコン４０は、フォーカスレンズ駆動制御部４１へ、フォーカスリング６７の回転角度情報を要求する。ユーザーによりフォーカスリング６７が回転操作されると、第２回転検出部６８によりフォーカスリング６７の回転角度が検出され、検出された回転角度に応じた信号を第２回転検出部６８がレンズマイコン４０へ出力する。レンズマイコン４０は、第２回転検出部６８から出力された回転角度信号に基づいて、超音波アクチュエータユニット８０を駆動する駆動信号を生成する。レンズマイコン４０は、生成した駆動信号をフォーカスレンズ駆動制御部４１へ送信する。この駆動信号により、第２ホルダー６１に対して超音波アクチュエータユニット８０がＺ軸方向に移動し、それに伴い、超音波アクチュエータユニット８０が固定された第２レンズ支持枠５８もＺ軸方向に移動する。このようにして、フォーカスリング６７の回転方向および回転角度に応じて、第２ホルダー６１に対して第２レンズ群Ｌ２が駆動される。
【００７４】
図５に示す広角端の状態では、焦点が合う被写体までの距離（物点距離）が無限遠となる位置に第２レンズ群Ｌ２は配置されているが、物点距離が短くなるに従い第２レンズ群Ｌ２はＺ軸方向正側へ移動する。同様に、図６に示す望遠端の状態では、物点距離が無限遠となる位置に第２レンズ群Ｌ２は配置されているが、被写体までの距離が近くになるに従い第２レンズ群Ｌ２はＺ軸方向正側に移動する。図６に示す望遠端の状態では、図５に示す広角端の場合に比べ、第２レンズ群Ｌ２の移動量は多くなる。
【００７５】
以上のようにして、デジタルカメラ１のマニュアルフォーカスモードによるフォーカシングが行われる。マニュアルフォーカスモードにおいて、ユーザーがシャッターボタン３０を全押し操作すると、そのときの合焦状態のまま撮影が行われる。
ボディーマイコン１０は、撮影が終了すると、画像記録制御部１９に制御信号を送信する。画像記録部１８は、画像記録制御部１９の指令に基づいて、画像信号を内部メモリおよび／またはリムーバブルメモリに記録する。画像記録部１８は、画像記録制御部１９の指令に基づいて、画像信号とともに撮影モードがマニュアルフォーカスモードである旨の情報を、内部メモリおよび／またはリムーバブルメモリに記録する。
【００７６】
（２．６：焦点距離表示）
モニタ撮影モードでは、焦点距離（光学系Ｌの状態の一例）を示すズーム表示バー１０５（状態指標部の一例）が表示部２０に表示される。ズームリング６４の操作方向とズーム表示バー１０５の状態が変化する方向とが概ね一致するように、ズーム表示バー１０５の表示形態はボディーマイコン１０により決定されている。
【００７７】
ここでは、ズーム表示バー１０５の構成について説明する。図１１はズーム表示バー１０５の一例を示している。ズーム表示バー１０５は画像表示制御部２１が表示部２０を制御することで表示部２０上に表示される。
図１１に示すように、ズーム表示バー１０５は、表示部２０の上半分の領域に配置されている。具体的には、表示部２０の中心Ｃを通り互いに直交する２本のラインを第１ラインＣＬ１および第２ラインＣＬ２とする。いわゆる横撮り姿勢の場合（デジタルカメラ１が図３に示す姿勢のときに撮影する場合）、第１ラインＣＬ１は水平方向に平行であり、第２ラインＣＬ２は鉛直方向に平行である。図１１に示す状態で、ズーム表示バー１０５は第１ラインＣＬ１の上側に配置されている。より詳細には、ズーム表示バー１０５は表示部２０の表示領域の上部に配置されている。
【００７８】
図１１に示すように、ズーム表示バー１０５は、焦点距離（第１レンズ群Ｌ１〜第４レンズ群Ｌ４のＺ軸方向の位置）に連動しており、焦点距離情報を示す表示メータ１０９と、光学系Ｌの焦点距離の現在値を示すズーム指標１０７と、を有している。表示メータ１０９は、左右に延びる概ね長方形のメータ枠１０９ａを有している。メータ枠１０９ａの上側には焦点距離が表示されている。例えば、メータ枠１０９ａの右端には、焦点距離の最大値１０８ａが表示されており、メータ枠１０９ａの左側には、焦点距離の最小値１０８ｂが表示されている。ズーム表示バー１０５の右端が望遠端に対応しており、ズーム表示バー１０５の左端が広角端に対応している。つまり、焦点距離を変更できる範囲（焦点距離可変範囲）がメータ枠１０９ａ全体で表現されている。本実施形態では、最大値１０８ａは５０ｍｍであり、最小値１０８ｂは１４ｍｍである。
【００７９】
このメータ枠１０９ａ内にはズーム指標１０７が配置されている。ズーム指標１０７は、焦点距離の現在値を示す部分であり、焦点距離の増減に応じて（つまり、ズームリング６４の操作に応じて）メータ枠１０９ａ内を左右に移動する。本実施形態では、表示メータ１０９が左右に直線的に延びているため、ズーム指標１０７は表示メータ１０９に沿って直線的に移動する。
【００８０】
例えば、焦点距離が１４ｍｍとなる位置に各レンズ群（第１レンズ群Ｌ１〜第４レンズ群Ｌ４）が配置されている場合には、ズーム表示バー１０５のズーム指標１０７は、左端の１４ｍｍの位置に表示されている。一方、焦点距離が５０ｍｍとなる位置に各レンズ群（第１レンズ群Ｌ１〜第４レンズ群Ｌ４）が配置されている場合には、ズーム指標１０７は右端の５０ｍｍの位置に表示されている。図１１に示す状態においては、ズーム表示バー１０５は、焦点距離が１８ｍｍであることを示しており、焦点距離が１８ｍｍとなる位置に各レンズ群（第１レンズ群Ｌ１〜第４レンズ群Ｌ４）が配置されている。
【００８１】
さらに、メータ枠１０９ａとズーム指標１０７とにより、グレーに着色された表示帯１０６が形成されている。本実施形態では、ズーム指標１０７と焦点距離の最小値１０８ｂとの間に表示帯１０６が形成されているため、表示帯１０６の長さが焦点距離を表している。例えば、表示帯１０６が長くなるようにズーム指標１０７が表示メータ１０９に対して移動する場合は、焦点距離が増加する方向、つまり広角側から望遠側に光学系Ｌの状態が変化している。表示帯１０６が短くなるようにズーム指標１０７が表示メータ１０９に対して移動する場合は、焦点距離が短くなる方向、つまり望遠側から広角側に光学系Ｌの状態が変化している。
【００８２】
このズーム表示バー１０５の表示形態は、ズームリング６４の操作方向と関連付けられている。ズーム表示バー１０５の表示形態とズームリング６４の操作方向との関係について、図１２（Ａ）および図１２（Ｂ）を用いて説明する。図１２（Ａ）はズームリング６４の操作方向を示す図である。図１２（Ｂ）は表示部２０に表示されるズーム表示バー１０５を示している。図１２（Ａ）は、交換レンズユニット２がカメラ本体３に装着されている状態でズームリング６４をカメラ本体３側から見た場合のズームリング６４の操作方向を示している。
【００８３】
なお、本実施形態では、ズームリング６４の操作方向（回転方向）は、いわゆる横撮り姿勢において光軸ＡＺの鉛直方向上側（Ｙ軸方向正側）に配置された判断位置Ｊ１（図１２（Ａ）参照）でのズームリング６４の移動方向を意味している。また、Ａ方向およびＢ方向は、判断位置Ｊ１を基準として光軸ＡＺを中心とする円弧に沿った方向である。
ここで、図１２（Ａ）に示すように、交換レンズユニット２に対して、光軸ＡＺに直交し水平方向に延びる第１基準ラインＡＺ１と、光軸ＡＺおよび第１基準ラインＡＺ１に直交し鉛直方向の延びる第２基準ラインＡＺ２と、を設定した場合、判断位置Ｊ１はズームリング６４と第２基準ラインＡＺ２との上側の交点となる。
【００８４】
図１２（Ａ）に示すように、ズームリング６４がＡ方向に回転するようにユーザーによりズームリング６４が操作されると、光学系Ｌの状態が広角側から望遠側へ変化する。つまり、ズームリング６４がＡ方向に回転すると、光学系Ｌの焦点距離は増加する。一方、ズームリング６４がＢ方向に回転するようにユーザーによりズームリング６４が操作されると、光学系Ｌの状態が望遠側から広角側へ変化する。つまり、ズームリング６４がＢ方向に回転すると、光学系Ｌの焦点距離は減少する。
【００８５】
図１２（Ｂ）に示すように、ズーム表示バー１０５の右端が望遠端に対応しており、ズーム表示バー１０５の左端が広角端に対応している。このため、光学系Ｌの状態が広角側から望遠側へ変化する場合、ズームリング６４はＡ方向に回転し、ズーム指標１０７は表示メータ１０９に対して右方向（望遠方向ＺＡ）に移動する。このズーム指標１０７の移動に伴い、表示帯１０６が徐々に長くなる。
【００８６】
一方、光学系Ｌの状態が望遠側から広角側へ変化する場合、ズームリング６４はＢ方向に回転し、ズーム指標１０７は表示メータ１０９に対して左方向(広角方向ＺＢ)に移動する。このズーム指標１０７の移動に伴い、表示帯１０６が徐々に短くなる。
以上に説明したように、判断位置Ｊ１を基準にズームリング６４の操作方向を考える場合、ズームリング６４の操作方向と表示メータ１０９に対するズーム指標１０７の移動方向（焦点距離の増減に応じてズーム表示バー１０５の状態が変化する方向）とが概ね一致する。より詳細には、表示メータ１０９（表示部２０）に対してズーム指標１０７が移動する望遠方向ＺＡが判断位置Ｊ１から右方向に延びる円弧状のＡ方向と概ね一致しており、表示メータ１０９（表示部２０）に対してズーム指標１０７が移動する広角方向ＺＢが判断位置Ｊ１から左方向に延びる円弧状のＢ方向と概ね一致している。このため、表示部２０に表示されたズーム表示バー１０５を見ながら撮影すれば、焦点距離を調整する際にズームリング６４をどの方向に操作したらよいかをユーザーが直感的に理解しやすくなる。これにより、このカメラ本体３では操作性を向上させることができる。
【００８７】
なお、ズームリング６４の操作方向を円弧に沿った方向としているが、判断位置Ｊ１における接線方向（図１２（Ａ）に示すＡ１方向およびＢ１方向）で、操作方向とズーム指標１０７の移動方向とが一致しているか否かを判断してもよい。
以上に説明した交換レンズユニット２は、焦点距離が増加するズームリング６４の回転方向が時計回りである。
【００８８】
しかし、交換レンズユニットごとでズームリングの操作方向と焦点距離の増減との関係が異なる場合がある。
そこで、カメラ本体３では、ズーム表示バー１０５の表示形態が、交換レンズユニット２に格納されたレンズ情報に基づいてボディーマイコン１０により決定される。
具体的には、レンズ情報は、ズームリング６４の操作方向と焦点距離の変化との関係を表す操作方向情報と、光学系Ｌの焦点距離を変更できる範囲を表す焦点距離情報と、を含んでいる。操作方向情報から、焦点距離が増加するズームリング６４の操作方向がＡ方向でるかＢ方向であるかを判断することができる。焦点距離情報には、焦点距離の最大値１０８ａおよび最小値１０８ｂが含まれている。
【００８９】
交換レンズユニット２がカメラ本体３に装着されると、ボディーマイコン１０によりレンズマイコン４０からレンズ情報が取得される。取得したレンズ情報に基づいて、ボディーマイコン１０によりズーム表示バー１０５の表示形態が決定される。ズーム表示バー１０５の表示形態としては、最大値１０８ａおよび最小値１０８ｂの位置が考えられる。
ここでは、ズーム表示バー１０５が表示部２０の上半分の領域（第１ラインＣＬ１よりも鉛直方向上側の領域）に表示される場合について説明する。
【００９０】
例えば、レンズ情報の操作方向情報に基づいて、焦点距離が増加するズームリング６４の操作方向がＡ方向（時計回り）であるとボディーマイコン１０により判断された場合、最大値１０８ａが右側、最小値１０８ｂが左側に配置されるように、ボディーマイコン１０によりズーム表示バー１０５における最大値１０８ａおよび最小値１０８ｂの位置が決定される。最大値１０８ａおよび最小値１０８ｂは、レンズ情報の焦点距離情報に含まれている。本実施形態では、操作方向情報には、焦点距離が増加するズームリング６４の操作方向がＡ方向であることを示す情報が含まれている。このため、図１１に示すようにズーム表示バー１０５が表示部２０に表示される。
【００９１】
一方、焦点距離が増加するズームリング６４の操作方向がＢ方向であるとボディーマイコン１０により判断された場合、最大値１０８ａが左側、最小値１０８ｂが右側に配置されるように、ボディーマイコン１０によりズーム表示バー１０５における最大値１０８ａおよび最小値１０８ｂの位置が決定される。図１３に示す表示状態が、この場合に相当する。この場合の図１２（Ａ）および図１２（Ｂ）に対応する図は図１４（Ａ）および図１４（Ｂ）である。
【００９２】
図１４（Ａ）に示すように、ズームリング６４がＢ方向に回転すると、図１４（Ｂ）に示すように、表示メータ１０９に対して望遠方向ＺＡにズーム指標１０７が移動する。ズームリング６４がＡ方向に回転すると、表示メータ１０９に対して広角方向ＺＢにズーム指標１０７が移動する。
このように最大値１０８ａおよび最小値１０８ｂの位置を操作方向情報に基づいて決定することで、表示メータ１０９に対するズーム指標１０７の移動方向がズームリング６４の判断位置Ｊ１における操作方向と概ね一致する。また、交換レンズユニット２の仕様に応じてズーム表示バー１０５の表示形態が自動的に調節されるため、より多くの交換レンズユニットとの互換性を確保することができる。
【００９３】
また、デジタルカメラ１では、例えば十字操作キー２７などを用いて、表示部２０におけるズーム表示バー１０５の位置をユーザーが選択できる。この場合、ズーム表示バー１０５の配置に基づいてズーム表示バー１０５の表示形態が決定される。
例えば、ズーム表示バー１０５が表示部２０の下半分の領域（第１ラインＣＬ１よりも鉛直方向下側の領域）に表示される場合、光軸ＡＺの鉛直方向下側に配置される判断位置Ｊ２におけるズームリング６４の操作方向に基づいてズーム表示バー１０５の最大値１０８ａおよび最小値１０８ｂの配置が決定される。なぜなら、この場合は、光軸ＡＺの下方に配置された判断位置Ｊ２でズームリング６４の操作方向を判定する方が操作方向をユーザーがイメージしやすいためである。
【００９４】
ここで、図１５（Ａ）に示すように、交換レンズユニット２に対して、光軸ＡＺに直交し水平方向に延びる第１基準ラインＡＺ１と、光軸ＡＺおよび第１基準ラインＡＺ１に直交し鉛直方向の延びる第２基準ラインＡＺ２と、を設定した場合、判断位置Ｊ２はズームリング６４と第２基準ラインＡＺ２との下側の交点となる。
図１５（Ａ）に示すように、判断位置Ｊ２でズームリング６４の操作方向を判断する場合、Ａ方向（時計回り）が望遠側、Ｂ方向（反時計回り）が広角側となる。この操作方向に基づいて、図１５（Ｂ）に示すように、表示メータ１０９の左側に最大値１０８ａ、表示メータ１０９の右側に最小値１０８ｂが配置されるように、ボディーマイコン１０あるいは画像表示制御部２１によりズーム表示バー１０５の表示形態が調節される。これにより、ズーム表示バー１０５の配置に関わらず、焦点距離を調整する際にズームリング６４をどの方向に操作したらよいかをユーザーが理解しやすくなる。
【００９５】
＜３：デジタルカメラの特徴＞
以上に説明したデジタルカメラ１の特徴を以下にまとめる。
（１）
このカメラ本体３では、ズームリング６４の操作方向と、表示メータ１０９に対してズーム指標１０７が移動する方向と、が概ね一致するように、ボディーマイコン１０および画像表示制御部２１により表示部２０が制御される。このため、表示部２０に表示されたズーム表示バー１０５を見ながら撮影する場合に、光学系Ｌの焦点距離を調整する際にズームリング６４をどの方向に操作したらよいかをユーザーが直感的に理解しやすくなる。これにより、このカメラ本体３では操作性を向上させることができる。
【００９６】
（２）
このカメラ本体３では、交換レンズユニット２のメモリ４４に記憶されたレンズ情報がボディーマイコン１０により取得される。取得されたレンズ情報には、ズームリング６４の操作方向と焦点距離の増減との関係を表す操作方向情報が含まれている。この操作方向情報に基づいて、表示部２０におけるズーム表示バー１０５の表示形態がボディーマイコン１０により決定される。具体的には、ズームリング６４の操作方向とズーム指標１０７の移動方向とが概ね一致するように、ズーム表示バー１０５における焦点距離の最大値１０８ａおよび最小値１０８ｂの配置がボディーマイコン１０により決定される。このため、交換レンズユニットごとにズームリングの操作方向と焦点距離の増減との関係が異なっていても、交換レンズユニットの仕様に応じて操作方向とズーム指標１０７の移動方向とを概ね一致させることができる。これにより、このカメラ本体３では、より多くの交換レンズユニットとの互換性を確保することができる。
【００９７】
（３）
このカメラ本体３では、光学系Ｌの焦点距離を変更できる範囲を表す焦点距離情報をレンズ情報が含んでいるため、交換レンズユニット２ごとに焦点距離を変更できる範囲が異なっていても、交換レンズユニットの仕様に合わせてズーム表示バー１０５の表示形態を調節することができる。具体的には、操作方向情報に基づいてズーム表示バー１０５の表示メータ１０９における焦点距離情報の配置がボディーマイコン１０により決定されるため、交換レンズユニットの仕様に応じてズーム表示バー１０５の表示形態を最適化することができる。これにより、このカメラ本体３では、より多くの交換レンズユニットとの互換性を確保することができる。
【００９８】
（４）
このカメラ本体３では、表示部２０の表示領域におけるズーム表示バー１０５の位置に基づいてズーム表示バー１０５における最大値１０８ａおよび最小値１０８ｂの表示位置が決定される。このため、例えば、図１１および図１２（Ｂ）に示すようにズーム表示バー１０５が表示部２０の上半分の領域に配置されている場合は、図１２（Ａ）に示すように、判断位置Ｊ１におけるズームリング６４の操作方向を基準に最大値１０８ａおよび最小値１０８ｂの表示位置がボディーマイコン１０により決定される。これにより、光学系Ｌの焦点距離を調整する際にズームリング６４をどの方向に操作したらよいかをユーザーがイメージしやすくなる。
【００９９】
（５）
このカメラ本体３では、着色された表示帯１０６の長さにより焦点距離が表わされているため、ズーム表示バー１０５を見ることで現在の焦点距離がどの程度であるかをユーザーが直感的に認識しやすくなる。
＜４：変形例＞
前述の実施形態では、ズーム表示バー１０５は直線状であるが、ズーム表示バー１０５は円弧状であってもよい。
【０１００】
例えば、図１６および図１７に示すように、円弧状のズーム表示バー１２５（状態指標部の一例）を用いて焦点距離を表してもよい。このズーム表示バー１２５は、表示メータ１２９と、ズーム指標１２７と、を有している。表示メータ１２９は、点ＺＣを中心とした円弧状のメータ枠１２９ａを有している。メータ枠１２９ａの周囲には焦点距離が表示されている。メータ枠１２９ａおよびズーム指標１２７により、グレーに着色された表示帯１２６が形成されている。表示帯１２６の長さにより現在の焦点距離が表されている。
【０１０１】
図１６に示すズーム表示バー１２５は、図１１および図１２（Ｂ）に示すズーム表示バー１０５に対応している。つまり、図１６に示すズーム表示バー１２５は、焦点距離が増加するズームリング６４の操作方向がＡ方向（時計回り）である場合に対応している。焦点距離が増加する際にズーム指標１２７が回転する方向とＡ方向とが一致するように、ズーム表示バー１２５における最大値１２８ａおよび最小値１２８ｂの配置がボディーマイコン１０により決定されている。
【０１０２】
具体的には、図１６に示すズーム表示バー１２５では、メータ枠１２９ａの時計回り方向の端部に最大値１２８ａ（５０ｍｍ）が表示されており、メータ枠１２９ａの反時計回り方向の端部に最小値１０８ｂ（１４ｍｍ）が表示されている。このため、ズームリング６４がＡ方向に回転し光学系Ｌの焦点距離が増加すると、点ＺＣを中心にズーム指標１２７は望遠方向ＺＡ（時計回り）に回転する。ズームリング６４がＢ方向に回転し光学系Ｌの焦点距離が減少すると、点ＺＣを中心にズーム指標１２７は広角方向ＺＢ（反時計回り）に回転する。つまり、ズームリング６４の回転方向とズーム指標１２７の回転方向とが一致する。
【０１０３】
一方、図１７に示すズーム表示バー１２５は、図１３および図１４（Ｂ）に示すズーム表示バー１０５に対応している。つまり、図１７に示すズーム表示バー１２５は、焦点距離が増加するズームリング６４の操作方向がＢ方向（反時計回り）である場合に対応している。焦点距離が増加する際にズーム指標１２７が回転する方向とＢ方向とが一致するように、ズーム表示バー１２５における最大値１２８ａおよび最小値１２８ｂの配置がボディーマイコン１０により決定されている。
【０１０４】
具体的には、図１７に示すズーム表示バー１２５では、メータ枠１２９ａの反時計回り方向の端部に最大値１２８ａ（５０ｍｍ）が表示されており、メータ枠１２９ａの時計回り方向の端部に最小値１２８ｂ（１４ｍｍ）が表示されている。このため、ズームリング６４がＢ方向に回転し光学系Ｌの焦点距離が増加すると、点ＺＣを中心にズーム指標１２７は望遠方向ＺＡ（反時計回り）に回転する。ズームリング６４がＡ方向に回転し光学系Ｌの焦点距離が減少すると、点ＺＣを中心にズーム指標１２７は広角方向ＺＢ（時計回り）に回転する。つまり、ズームリング６４の回転方向とズーム指標１２７の回転方向とが一致する。
【０１０５】
このように、ズームリング６４の回転方向とズーム指標１２７の回転方向とが一致するため、表示部２０に表示されたズーム表示バー１２５を見ながら撮影する場合に、光学系Ｌの焦点距離を調整する際にズームリング６４をどの方向に操作したらよいかをユーザーが理解しやすくなる。これにより、ズーム表示バー１２５のような表示形式であっても、操作性を向上させることができる。
【０１０６】
また、ズーム表示バー１０５の場合と同様に、ズーム表示バー１２５では表示帯１２６の長さにより現在の焦点距離が表されているため、ズーム表示バー１２５を見ることで現在の焦点距離がどの程度であるかをユーザーが直感的に認識しやすくなる。
特に、直線状のズーム表示バー１０５に比べて、円弧状のズーム表示バー１２５はズームリング６４の回転方向とズーム指標１２７の回転方向とが一致するため、ズームリング６４の回転方向の把握がさらに容易となる。
【０１０７】
なお、ズーム表示バー１２５は円弧状であるが、ズーム表示バー１２５が環状であっても同様の効果を得ることができる。
なお、ズーム表示バー１０５，１２５は、表示部２０に常に表示させておく必要はなく、ズームリング６４の回転動作が第１回転検出部６５により検出された時にズーム表示バー１０５，１２５を表示させ、ズームリング６４の回転動作が終了した時には、ズーム表示バー１０５，１２５の表示を自動的に消去する構成としてもよい。あるいは、シャッターボタン３０が操作されるまでの間は表示部２０に常にズーム表示バー１０５，１２５を表示させ、シャッターボタン３０の半押し操作後にズーム表示バー１０５，１２５の表示を自動的に消去する構成としてもよい。
【０１０８】
また、ズーム表示バー１０５，１２５は、シャッターボタン３０の半押し操作後にボディーマイコン１０により合焦が確認された場合に、グレーに着色された表示帯１０６，１２６が他の色に変わる、あるいは表示帯１０６，１２６が点滅するなどの表示形式にすれば、ユーザーは合焦しているかどうかを瞬時に判断することができる。
〔第２実施形態〕
＜１：物点距離表示＞
前述の実施形態では、ズーム表示バー１０５およびズーム表示バー１２５が焦点距離を表しているが、フォーカスリング６７により変更可能な被写体の物点距離に対しても同様の構成が考えられる。図１８を用いて第２実施形態について説明する。図１８はフォーカス表示バー２０５を示している。
【０１０９】
なお、前述の実施形態の構成と実質的に同一の機能を有する構成については、同じ符号を付し、その詳細な説明は省略する。
図１８に示すように、フォーカス表示バー２０５は、表示部２０の上半分の領域に配置されている。具体的には、表示部２０の中心Ｃを通り互いに直交する２本のラインを第１ラインＣＬ１および第２ラインＣＬ２とする。いわゆる横撮り姿勢の場合、第１ラインＣＬ１は水平方向に平行であり、第２ラインＣＬ２は鉛直方向に平行である。図１１に示す状態で、フォーカス表示バー２０５は第１ラインＣＬ１の上側に配置されている。より詳細には、フォーカス表示バー２０５は表示部２０の表示領域の上部に配置されている。
【０１１０】
図１８に示すように、フォーカス表示バー２０５は、物点距離（第２レンズ群Ｌ２のＺ軸方向の位置）に連動しており、物点距離情報を示す表示メータ２０９と、光学系Ｌの物点距離の現在値を示すフォーカス指標２０７と、を有している。表示メータ２０９は、左右に延びる概ね長方形のメータ枠２０９ａを有している。メータ枠２０９ａの上側には物点距離が表示されている。例えば、メータ枠２０９ａの右端には、物点距離の最大値２０８ａが表示されており、メータ枠２０９ａの左側には、物点距離の最小値２０８ｂが表示されている。つまり、物点距離を変更できる範囲（物点距離可変範囲）がメータ枠２０９ａ全体で表現されている。本実施形態では、最大値２０８ａは無限遠（∞）であり、最小値２０８ｂは０．３ｍである。
【０１１１】
このメータ枠２０９ａ内にはフォーカス指標２０７が配置されている。フォーカス指標２０７は、物点距離の現在値を示す部分であり、物点距離の増減に応じて（つまり、フォーカスリング６７の操作に応じて）メータ枠２０９ａ内を左右に移動する。本実施形態では、表示メータ２０９が左右に直線的に延びているため、フォーカス指標２０７は表示メータ２０９に沿って直線的に移動する。
【０１１２】
例えば、物点距離が０．３ｍとなる位置に第２レンズ群Ｌ２が配置されている場合には、フォーカス表示バー２０５のフォーカス指標２０７は、左端の０．３ｍの位置に表示されている。一方、物点距離が無限遠となる位置に第２レンズ群Ｌ２が配置されている場合には、フォーカス指標２０７は右端の無限遠の位置に表示されている。図１８に示す状態においては、フォーカス表示バー２０５は、物点距離が１ｍであることを示しており、物点距離が１ｍとなる位置に第２レンズ群Ｌ２が配置されていることを示している。
【０１１３】
さらに、メータ枠２０９ａとフォーカス指標２０７とにより、グレーに着色された表示帯２０６が形成されている。本実施形態では、フォーカス指標２０７と物点距離の最小値２０８ｂとの間に表示帯２０６が形成されているため、表示帯２０６の長さが物点距離を表している。例えば、表示帯２０６が長くなるようにフォーカス指標２０７が表示メータ２０９に対して移動する場合は、物点距離が増加する方向、つまり至近側から無限遠側に光学系Ｌの状態が変化している。表示帯２０６が短くなるようにフォーカス指標２０７が表示メータ２０９に対して移動する場合は、物点距離が短くなる方向、つまり無限遠側から至近側に光学系Ｌの状態が変化している。
【０１１４】
このフォーカス表示バー２０５の表示形態は、フォーカスリング６７の操作方向と関連付けられている。両者の関係について、図１９（Ａ）および図１９（Ｂ）を用いて説明する。図１９（Ａ）はフォーカスリング６７の操作方向を示す図である。図１９（Ｂ）は表示部２０に表示されるフォーカス表示バー２０５を示している。図１９（Ａ）は、交換レンズユニット２がカメラ本体３に装着されている状態でフォーカスリング６７をカメラ本体３側から見た場合のフォーカスリング６７の操作方向を示している。図１９（Ａ）および図１９（Ｂ）は前述の第１実施形態の図１２（Ａ）および図１２（Ｂ）に対応している。
【０１１５】
なお、本実施形態では、フォーカスリング６７の操作方向（回転方向）は、いわゆる横撮り姿勢において光軸ＡＺの鉛直方向上側（Ｙ軸方向正側）に配置された判断位置Ｊ１（図１９（Ａ）参照）でのフォーカスリング６７の移動方向を意味している。また、Ａ方向およびＢ方向は、判断位置Ｊ１を基準として光軸ＡＺを中心とする円弧に沿った方向である。
【０１１６】
ここで、図１９（Ａ）に示すように、交換レンズユニット２に対して、光軸ＡＺに直交し水平方向に延びる第１基準ラインＡＺ１と、光軸ＡＺおよび第１基準ラインＡＺ１に直交し鉛直方向の延びる第２基準ラインＡＺ２と、を設定した場合、判断位置Ｊ１はフォーカスリング６７と第２基準ラインＡＺ２との上側の交点となる。
図１９（Ａ）に示すように、フォーカスリング６７がＡ方向に回転するようにユーザーによりフォーカスリング６７が操作されると、光学系Ｌの状態が至近側から無限遠側へ変化する。つまり、フォーカスリング６７がＡ方向に回転すると、光学系Ｌの物点距離は増加する。一方、フォーカスリング６７がＢ方向に回転するようにユーザーによりフォーカスリング６７が操作されると、光学系Ｌの状態が無限遠側から至近側へ変化する。つまり、フォーカスリング６７がＢ方向に回転すると、光学系Ｌの物点距離は減少する。
【０１１７】
図１９（Ｂ）に示すように、フォーカス表示バー２０５の右端が無限遠側に対応しており、フォーカス表示バー２０５の左端が至近側に対応している。このため、光学系Ｌの状態が至近側から無限遠側へ変化する場合、フォーカスリング６７はＡ方向に回転し、フォーカス指標２０７は表示メータ２０９に対して右方向（無限遠方向ＦＡ）に移動する。このフォーカス指標２０７の移動に伴い、表示帯２０６が徐々に長くなる。
【０１１８】
一方、光学系Ｌの状態が無限遠側から至近側へ変化する場合、フォーカスリング６７はＢ方向に回転し、フォーカス指標２０７は表示メータ２０９に対して左方向(至近方向ＦＢ)に移動する。このフォーカス指標２０７の移動に伴い、表示帯２０６が徐々に短くなる。
以上に説明したように、判断位置Ｊ１を基準にフォーカスリング６７の操作方向を決定する場合、フォーカスリング６７の操作方向と表示メータ２０９に対するフォーカス指標２０７の移動方向（物点距離の増減に応じてフォーカス表示バー２０５の状態が変化する方向）とが概ね一致する。より詳細には、表示メータ２０９（表示部２０）に対してフォーカス指標２０７が移動する無限遠方向ＦＡが判断位置Ｊ１から右方向に延びる円弧状のＡ方向と概ね一致しており、表示メータ２０９（表示部２０）に対してフォーカス指標２０７が移動する至近方向ＦＢが判断位置Ｊ１から左方向に延びる円弧状のＢ方向と概ね一致している。このため、表示部２０に表示されたフォーカス表示バー２０５を見ながら撮影すれば、物点距離を調整する際にフォーカスリング６７をどの方向に操作したらよいかをユーザーが理解しやすくなる。これにより、このカメラ本体３では操作性を向上させることができる。
【０１１９】
なお、フォーカスリング６７の操作方向を円弧に沿った方向としているが、判断位置Ｊ１における接線方向（図１９（Ａ）に示すＡ２方向およびＢ２方向）で、操作方向とフォーカス指標２０７の移動方向とが一致しているか否かを判断してもよい。
以上に説明した交換レンズユニット２は、物点距離が増加するフォーカスリング６７の回転方向が時計回りである。
【０１２０】
しかし、交換レンズユニットごとでフォーカスリングの操作方向と物点距離の増減との関係が異なる。
そこで、前述の実施形態と同様に、カメラ本体３では、フォーカス表示バー２０５の表示形態が、交換レンズユニット２に格納されたレンズ情報に基づいてボディーマイコン１０により決定される。
【０１２１】
具体的には、レンズ情報は、フォーカスリング６７の操作方向と物点距離の変化との関係を表す操作方向情報と、光学系Ｌの物点距離を変更できる範囲を表す物点距離情報と、を含んでいる。操作方向情報から、物点距離が増加するフォーカスリング６７の操作方向がＡ方向でるかＢ方向であるかを判断することができる。物点距離情報には、物点距離の最大値２０８ａおよび最小値２０８ｂが含まれている。
【０１２２】
交換レンズユニット２がカメラ本体３に装着されると、ボディーマイコン１０によりレンズマイコン４０からレンズ情報が取得される。取得したレンズ情報に基づいて、ボディーマイコン１０によりフォーカス表示バー２０５の表示形態が決定される。フォーカス表示バー２０５の表示形態としては、最大値２０８ａおよび最小値２０８ｂの位置が考えられる。
【０１２３】
ここでは、フォーカス表示バー２０５が表示部２０の上半分の領域（第１ラインＣＬ１よりも鉛直方向上側の領域）に表示される場合について説明する。
例えば、レンズ情報の操作方向情報に基づいて、物点距離が増加するフォーカスリング６７の操作方向がＡ方向（時計回り）であるとボディーマイコン１０により判断された場合、最大値２０８ａが右側、最小値２０８ｂが左側に配置されるように、ボディーマイコン１０によりフォーカス表示バー２０５における最大値２０８ａおよび最小値２０８ｂの位置が決定される。最大値２０８ａおよび最小値２０８ｂは、レンズ情報の物点距離情報に含まれている。本実施形態では、操作方向情報には、物点距離が増加するフォーカスリング６７の操作方向がＡ方向であることを示す情報が含まれている。このため、図１８に示すようにフォーカス表示バー２０５が表示部２０に表示される。
【０１２４】
一方、物点距離が増加するフォーカスリング６７の操作方向がＢ方向であるとボディーマイコン１０により判断された場合、最大値２０８ａが左側、最小値２０８ｂが右側に配置されるように、ボディーマイコン１０によりフォーカス表示バー２０５における最大値２０８ａおよび最小値２０８ｂの位置が決定される。図２０に示す表示状態が、この場合に相当する。この場合の図１９（Ａ）および図１９（Ｂ）に対応する図は図２１（Ａ）および図２１（Ｂ）である。
【０１２５】
図２１（Ａ）に示すように、フォーカスリング６７がＢ方向に回転すると、図２１（Ｂ）に示すように、表示メータ２０９に対して無限遠方向ＦＡにフォーカス指標２０７が移動する。フォーカスリング６７がＡ方向に回転すると、表示メータ２０９に対して至近方向ＦＢにフォーカス指標２０７が移動する。
このように最大値２０８ａおよび最小値２０８ｂの位置を操作方向情報に基づいて決定することで、表示メータ２０９に対するフォーカス指標２０７の移動方向がフォーカスリング６７の判断位置Ｊ１における操作方向と概ね一致する。また、交換レンズユニット２の仕様に応じてフォーカス表示バー２０５の表示形態が自動的に調節されるため、より多くの交換レンズユニットとの互換性を確保することができる。
【０１２６】
また、デジタルカメラ１では、例えば十字操作キー２７などを用いて、表示部２０におけるフォーカス表示バー２０５の位置をユーザーが選択できる。この場合、フォーカス表示バー２０５の配置に基づいてフォーカス表示バー２０５の表示形態が決定される。
例えば、フォーカス表示バー２０５が表示部２０の下半分の領域（第１ラインＣＬ１よりも鉛直方向下側の領域）に表示される場合、光軸ＡＺの鉛直方向下側に配置される判断位置Ｊ２におけるフォーカスリング６７の操作方向に基づいてフォーカス表示バー２０５の最大値２０８ａおよび最小値２０８ｂの配置が決定される。なぜなら、この場合は、光軸ＡＺの下方に配置された判断位置Ｊ２でフォーカスリング６７の操作方向を判定する方が操作方向をイメージしやすいためである。
【０１２７】
ここで、図２２（Ａ）に示すように、交換レンズユニット２に対して、光軸ＡＺに直交し水平方向に延びる第１基準ラインＡＺ１と、光軸ＡＺおよび第１基準ラインＡＺ１に直交し鉛直方向の延びる第２基準ラインＡＺ２と、を設定した場合、判断位置Ｊ２はフォーカスリング６７と第２基準ラインＡＺ２との下側の交点となる。
図２２（Ａ）に示すように、判断位置Ｊ２でフォーカスリング６７の操作方向を判断する場合、Ａ方向（時計回り）が無限遠側、Ｂ方向（反時計回り）が至近側となる。この操作方向に基づいて、図２２（Ｂ）に示すように、表示メータ２０９の左側に最大値２０８ａ、表示メータ２０９の右側に最小値２０８ｂが配置されるように、ボディーマイコン１０あるいは画像表示制御部２１によりフォーカス表示バー２０５の表示形態が調節される。これにより、フォーカス表示バー２０５の配置に関わらず、物点距離を調整する際にフォーカスリング６７をどの方向に操作したらよいかをユーザーが理解しやすくなる。
【０１２８】
＜２：デジタルカメラの特徴＞
以上に説明したデジタルカメラ１の特徴を以下にまとめる。
（１）
このカメラ本体３では、フォーカスリング６７の操作方向と、表示メータ２０９に対してフォーカス指標２０７が移動する方向と、が概ね一致するように、ボディーマイコン１０および画像表示制御部２１により表示部２０が制御される。このため、表示部２０に表示されたフォーカス表示バー２０５を見ながら撮影する場合に、光学系Ｌの物点距離を調整する際にフォーカスリング６７をどの方向に操作したらよいかをユーザーが直感的に理解しやすくなる。これにより、このカメラ本体３では操作性を向上させることができる。
【０１２９】
（２）
このカメラ本体３では、交換レンズユニット２のメモリ４４に記憶されたレンズ情報がボディーマイコン１０により取得される。取得されたレンズ情報には、フォーカスリング６７の操作方向と物点距離の増減との関係を表す操作方向情報が含まれている。この操作方向情報に基づいて、表示部２０におけるフォーカス表示バー２０５の表示形態がボディーマイコン１０により決定される。具体的には、フォーカスリング６７の操作方向とフォーカス指標２０７の移動方向とが概ね一致するように、フォーカス表示バー２０５における物点距離の最大値２０８ａおよび最小値２０８ｂの配置がボディーマイコン１０により決定される。このため、交換レンズユニットごとにフォーカスリングの操作方向と物点距離の増減との関係が異なっていても、交換レンズユニットの仕様に応じて操作方向とフォーカス指標２０７の移動方向とを概ね一致させることができる。これにより、このカメラ本体３では、より多くの交換レンズユニットとの互換性を確保することができる。
【０１３０】
（３）
このカメラ本体３では、光学系Ｌの物点距離を変更できる範囲を表す物点距離情報をレンズ情報が含んでいるため、交換レンズユニット２ごとに物点距離を変更できる範囲が異なっていても、交換レンズユニットの仕様に合わせてフォーカス表示バー２０５の表示形態を調節することができる。具体的には、操作方向情報に基づいてフォーカス表示バー２０５の表示メータ２０９における物点距離情報の配置がボディーマイコン１０により決定されるため、交換レンズユニットの仕様に応じてフォーカス表示バー２０５の表示形態を最適化することができる。これにより、このカメラ本体３では、より多くの交換レンズユニットとの互換性を確保することができる。
【０１３１】
（４）
このカメラ本体３では、表示部２０の表示領域におけるフォーカス表示バー２０５の位置に基づいてフォーカス表示バー２０５における最大値２０８ａおよび最小値２０８ｂの表示位置が決定される。このため、例えば、図１８および図１９（Ｂ）に示すようにフォーカス表示バー２０５が表示部２０の上半分の領域に配置されている場合は、図１９（Ａ）に示すように、判断位置Ｊ１におけるフォーカスリング６７の操作方向を基準に最大値２０８ａおよび最小値２０８ｂの表示位置がボディーマイコン１０により決定される。これにより、光学系Ｌの物点距離を調整する際にフォーカスリング６７をどの方向に操作したらよいかをユーザーがイメージしやすくなる。
【０１３２】
（５）
このカメラ本体３では、着色された表示帯２０６の長さにより物点距離が表わされているため、フォーカス表示バー２０５を見ることで現在の物点距離がどの程度であるかをユーザーが直感的に認識しやすくなる。
＜３：変形例＞
前述の実施形態では、フォーカス表示バー２０５は直線状であるが、フォーカス表示バー２０５は円弧状であってもよい。
【０１３３】
例えば、図２３および図２４に示すように、円弧状のフォーカス表示バー２２５（状態指標部の一例）を用いて物点距離を表してもよい。このフォーカス表示バー２２５は、表示メータ２２９と、フォーカス指標２２７と、を有している。表示メータ２２９は、点ＺＣを中心とした円弧状のメータ枠２２９ａを有している。メータ枠２２９ａの周囲には物点距離が表示されている。メータ枠２２９ａおよびフォーカス指標２２７により、グレーに着色された表示帯２２６が形成されている。表示帯２２６の長さにより現在の物点距離が表されている。
【０１３４】
図２３に示すフォーカス表示バー２２５は、図１８および図１９（Ｂ）に示すフォーカス表示バー２０５に対応している。つまり、図２３に示すフォーカス表示バー２２５は、物点距離が増加するフォーカスリング６７の操作方向がＡ方向（時計回り）である場合に対応している。物点距離が増加する際にフォーカス指標２２７が回転する方向とＡ方向とが一致するように、フォーカス表示バー２２５における最大値２２８ａおよび最小値２２８ｂの配置がボディーマイコン１０により決定されている。
【０１３５】
具体的には、図２３に示すフォーカス表示バー２２５では、メータ枠２２９ａの時計回り方向の端部に最大値２２８ａ（∞）が表示されており、メータ枠２２９ａの反時計回り方向の端部に最小値２２８ｂ（０．３ｍ）が表示されている。このため、フォーカスリング６７がＡ方向に回転し光学系Ｌの物点距離が増加すると、点ＦＣを中心にフォーカス指標２２７は無限遠方向ＦＡ（時計回り）に回転する。フォーカスリング６７がＢ方向に回転し光学系Ｌの物点距離が減少すると、点ＦＣを中心にフォーカス指標２２７は至近方向ＦＢ（反時計回り）に回転する。つまり、フォーカスリング６７の回転方向とフォーカス指標２２７の回転方向とが一致する。
【０１３６】
一方、図２４に示すフォーカス表示バー２２５は、図２０および図２１（Ｂ）に示すフォーカス表示バー２０５に対応している。つまり、図２４に示すフォーカス表示バー２２５は、物点距離が増加するフォーカスリング６７の操作方向がＢ方向（反時計回り）である場合に対応している。物点距離が増加する際にフォーカス指標２２７が回転する方向とＢ方向とが一致するように、フォーカス表示バー２２５における最大値２２８ａおよび最小値２２８ｂの配置がボディーマイコン１０により決定されている。
【０１３７】
具体的には、図２４に示すフォーカス表示バー２２５では、メータ枠２２９ａの反時計回り方向の端部に最大値２２８ａ（∞）が表示されており、メータ枠２２９ａの時計回り方向の端部に最小値２２８ｂ（０．３ｍ）が表示されている。このため、フォーカスリング６７がＢ方向に回転し光学系Ｌの物点距離が増加すると、点ＦＣを中心にフォーカス指標２２７は無限遠方向ＦＡ（反時計回り）に回転する。フォーカスリング６７がＡ方向に回転し光学系Ｌの物点距離が減少すると、点ＦＣを中心にフォーカス指標２２７は至近方向ＦＢ（時計回り）に回転する。つまり、フォーカスリング６７の回転方向とフォーカス指標２２７の回転方向とが一致する。
【０１３８】
このように、フォーカスリング６７の回転方向とフォーカス指標２２７の回転方向とが一致するため、表示部２０に表示されたフォーカス表示バー２０５を見ながら撮影する場合に、光学系Ｌの物点距離を調整する際にフォーカスリング６７をどの方向に操作したらよいかをユーザーが理解しやすくなる。これにより、フォーカス表示バー２２５のような表示形式であっても、操作性を向上させることができる。
【０１３９】
また、フォーカス表示バー２０５の場合と同様に、フォーカス表示バー２２５では表示帯２２６の長さにより現在の物点距離が表されているため、フォーカス表示バー２２５を見ることで現在の物点距離がどの程度であるかをユーザーが直感的に認識しやすくなる。
特に、直線状のフォーカス表示バー２０５に比べて、円弧状のフォーカス表示バー２２５はフォーカスリング６７の回転方向とフォーカス指標２２７の回転方向とが完全に一致するため、フォーカスリング６７の回転方向の把握がさらに容易となる。
【０１４０】
なお、フォーカス表示バー２２５は円弧状であるが、フォーカス表示バー２２５が環状であっても同様の効果を得ることができる。
なお、フォーカス表示バー２０５，２２５は、表示部２０に常に表示させておく必要はなく、マニュアルフォーカスモードに移行したとき、あるいはフォーカスレンズ６７の回転動作が第２回転検出部６８により検出された時にフォーカス表示バー２０５，２２５を表示させ、フォーカスリング６７の回転動作が終了した時には、フォーカス表示バー２０５，２２５の表示を自動的に消去する構成としてもよい。
【０１４１】
〔他の実施形態〕
（１）
前述の変形例において、ズームリング６４の回転角度の絶対値とズーム指標１２７の回転角度の絶対値とを一致させてもよい。また、フォーカスリング６７の回転角度の絶対値とフォーカス指標２２７の回転角度の絶対値とを一致させてもよい。これらの場合、ズームリング６４あるいはフォーカスリング６７を操作する際に操作量をユーザーが把握しやすくなり、操作性がさらに向上する。
【０１４２】
（２）
前述の実施形態では、例えばズーム表示バー１０５には焦点距離の最小値１０８ｂおよび最大値１０８ａが表示されているが、ユーザーがズームリング６４の操作すべき方向を知るためには、ズーム表示バー１０５に焦点距離の最小値１０８ｂおよび最大値１０８ａそのものを表示する必要はない。例えば、焦点距離が増加する方向および減少する方向がわかればよいので、例えば、最小値１０８ｂを「Ｍｉｎ」、最大値１０８ａを「Ｍａｘ」と表示してもよい。また、最小値１０８ｂを「小」、最大値１０８ａを「大」と表示してもよい。
【０１４３】
ズーム表示バー１２５、フォーカス表示バー２０５および２２５についても同様に、最小値および最大値以外の表示を用いてもよい。
（３）
焦点距離情報の表示については、撮像センサ１１のサイズから求められる表示、あるいは銀塩フィルムの３５ｍｍ換算の表示が考えられる。これらの表示形式は、ユーザーにより切り換え可能としてもよい。
【０１４４】
（４）
前述の実施形態では、交換レンズユニット２の焦点距離可変範囲は、１４ｍｍから５０ｍｍまでであるが、焦点距離可変範囲はこれらの数値に限定されない。前述のように、望遠レンズおよび広角レンズなどの異なる焦点距離範囲の交換レンズユニットがカメラ本体３に取り付けられた場合には、ズーム表示バー１０５および１２５の表示範囲は、交換レンズユニットのメモリに記憶された個々の焦点距離情報に基づいて変更されるようになっている。
【０１４５】
（５）
前述の実施形態では、ズームリング６４の回転が機械的に各支持枠に伝達される方式がレンズ支持機構４５に採用されているが、ズーム機構の駆動方式はこれに限定されない。ズーム機構の駆動方式は、例えば電動ズーム方式であってもよい。その場合には、ズームリング６４の回転方向および回転角度を第１回転検出部６５により検出して、ズームリング６４の回転に合わせて、アクチュエータ(図示せず)によりズームレンズ群（例えば、第１レンズ群Ｌ１）をＺ軸方向に駆動して、焦点距離を変更するようにしてもよい。
【０１４６】
（６）
前述の実施形態で説明した表示部２０は、カメラ本体３の筐体３ａに対して固定されているが、可動タイプの表示部を用いる場合も考えられる。この場合、表示部の筐体３ａに対する角度は変更可能であるため、表示部に表示されるズーム表示バーやフォーカス表示バーの配置を表示部の姿勢に応じて最適化することが考えられる。
【０１４７】
また、前述の実施形態では、デジタルカメラ１の撮影姿勢については、図３に示すように、横撮り姿勢の状態にて説明したが、光軸ＡＺを中心にデジタルカメラ１を時計回りに９０°あるいは反時計回りに９０°回転させた縦撮り姿勢の状態の場合も考えられる。この場合、交換レンズユニット２あるいはカメラ本体３に搭載された姿勢検出センサにてデジタルカメラ１の姿勢を判別することにより、デジタルカメラ１の姿勢に合わせてユーザーがズーム表示バー１０５あるいはフォーカス表示バー２０５を見やすいように、ズーム表示バー１０５あるいはフォーカス表示バー２０５も回転させて表示させてもよい。その際には、表示部２０の縦横比に合わせて、ズーム表示バー１０５あるいはフォーカス表示バー２０５の表示長さがボディーマイコン１０により調整されてもよい。ズーム表示バー１２５およびフォーカス表示バー２２５についても同様に、デジタルカメラ１の姿勢に応じて配置および寸法が自動的に調節されるようにしてもよい。
【０１４８】
また、ズーム表示バー１０５の表示部２０内での表示位置については、撮像センサ１１により取得されるライブ画像から、メインの被写体とズーム表示バー１０５とが重ならない位置（あるいは、ほとんど重ならない位置）を検出して、その位置にズーム表示バー１０５を自動的に配置するようにしてもよい。メインの被写体の範囲を検出する技術としては、例えば、いわゆる顔検出技術などを用いることができる。この構成についても、ズーム表示バー１２５、フォーカス表示バー２０５および２２５にそれぞれ適用することができる。
【０１４９】
（７）
前述の実施形態では、フォーカス調節用のアクチュエータとして超音波アクチュエータを使用したが、フォーカス用のアクチュエータは、例えば、ステッピングモータなど、その他の方式のアクチュエータであってもよい。
（８）
前述の実施形態では、静止画撮影について主に説明したが、動画撮影も同様に行うことができる。動画撮影の場合には、合焦状態を保つために、コントラスト検出方式によりＺ軸方向に第２レンズ群Ｌ２を常にウォブリング（微小往復振動）させる。
【０１５０】
（９）
前述の実施形態では、フォーカスレンズ群を第２レンズ群Ｌ２としたが、それに限らず、第３レンズ群Ｌ３、あるいは第４レンズ群Ｌ４などの他のレンズ群がフォーカス用のレンズ群であってもよい。また、フォーカスレンズ群として１つの第２レンズ群Ｌ２である場合について説明したが、複数のレンズ群を協調させてフォーカス調節を行うような光学系であってもよい。
【０１５１】
（１０）
カメラ本体３や交換レンズユニット２の振れにより生じる画像の劣化を抑制するために、デジタルカメラ１に振れ補正ユニットが設けられていてもよい。振れ補正ユニットは、交換レンズユニットまたはカメラ本体内のいずれか一方に設けられていてもよい。また、振れ補正ユニットは交換レンズユニットおよびカメラ本体の両方に設けられていてもよい。この場合、いずれの振れ補正ユニットを使用するかを選択できる構成であってもよい。
【０１５２】
（１１）
前述の実施形態のデジタルカメラ１には従来の一眼レフカメラで採用されている反射ミラーが搭載されていないが、反射ミラーを備えた従来方式の一眼レフカメラであってもよい。その場合には、反射ミラーを光路から退避させ、撮像センサ１１にてコントラスト検出方式のオートフォーカスを行うことにより、本実施形態とほぼ同等の使い方ができる。
【０１５３】
（１２）
前述の実施形態では、交換レンズ式のデジタルカメラを例に説明しているが、ズームやフォーカスを手動操作するための操作部材が設けられていれば、カメラ本体とレンズ鏡筒とが一体となったデジタルカメラにもズーム表示バー１０５などの状態指標部は適用可能である。その場合には、光軸ＡＺ上にプリズムあるいはミラーのような反射光学系を配置し、光路を途中で折り曲げた光学系（いわゆる屈曲光学系）を用いてもよい。
【０１５４】
また、ズームリング６４およびフォーカスリング６７はリング状の部材でなくてもよい。
（１３）
前述の実施形態では、シャッターを動作させることにより撮像センサ１１への露光時間を制御したが、これに限らず、電子シャッターなどにより撮像センサ１１の露光時間を制御してもよい。
【０１５５】
（１４）
前述の実施形態では、フォーカス位置がメートル表示にて記載されているが、フィート表示であってもよい。また、これらの表示形式は、ユーザーにより切換え可能としてもよい。ユーザーにとって使いやすいように、フォーカス表示バー２０５および２２５において、最至近から無限遠までの目盛りの間隔を自由に設定できるようにしてもよい。
【０１５６】
（１５）
前述の実施形態では、交換レンズユニット２の物点距離可変範囲は０．３ｍから無限遠までであるが、物点距離可変範囲はこれらの数値に限定されない。前述のように、フォーカス表示バー２０５および２２５の表示範囲は、交換レンズユニットのメモリに記憶された個々の物点距離情報に基づいて変更されるようになっている。このため、例えばマクロレンズのように最短撮影距離が近い（例えば０．１ｍ）交換レンズユニットを取り付けた場合には、フォーカス表示バー２０５および２２５の表示範囲は０．１ｍから無限遠までとなる。
【０１５７】
（１６）
前述の第２実施形態の場合、光学系Ｌは焦点距離を変更可能なズームレンズ系ではなく単焦点の光学系であってもよい。単焦点の光学系を有する交換レンズユニット２を取り付けた場合には、フォーカス表示バー２０５，２２５のみ表示し、ズーム表示バー１０５，１２５は表示させないようにすればよい。
【産業上の利用可能性】
【０１５８】
本発明に係るカメラ本体は、操作性の向上が要望される交換レンズ式のデジタルカメラ、一体型のデジタルスチルカメラ、デジタルビデオカメラ、カメラ部を備えた携帯電話およびＰＤＡなどに好適である。
【符号の説明】
【０１５９】
１    デジタルカメラ（撮像装置）
２    交換レンズユニット（レンズ鏡筒）
３    カメラ本体
３ａ    筐体
４    ボディーマウント
１０    ボディーマイコン（制御部の一例）
１１    撮像センサ
１２    撮像センサ駆動制御部
２０    表示部
２１    画像表示制御部（制御部の一例）
２５    電源スイッチ
２６    動作モード切換レバー
２７    十字操作キー
２８    ＭＥＮＵ設定ボタン
２９    ＳＥＴボタン
３０    シャッターボタン
３１    シャッター制御部
３３    シャッターユニット
３４    撮影モード切換ボタン
４０    レンズマイコン
４１    フォーカスレンズ駆動制御部
４４    メモリ（記憶部の一例）
５０    固定枠
５２    第１直進枠
５３    第１回転枠
５４    第１ホルダー
５５    第２回転枠
５７    １群レンズ支持枠
５８    ２群レンズ支持枠
５９    ３群レンズ支持枠
６０    ４群レンズ支持枠
６１    ２群ホルダー
６２    フィルターマウント
６３    ズームリングユニット
６４    ズームリング（操作部材の一例）
６５    第１回転検出部
６７    フォーカスリング（操作部材の一例）
６８    第２回転検出部
７１    レンズマウント
７４ａ，７４ｂ，７４ｃ    ガイドポール
７５  第３ホルダー
７６    磁気スケール
７７    磁気センサ
７８    フォーカスレンズユニット
８０    超音波アクチュエータユニット
８０ａ    可動部
８０ｂ    固定部
８１    圧電素子
８２    駆動子
８３    可動体
８４    内ケース
８８    給電電極
９０    外ケース
９４    摺動板
９７    ズームレンズ駆動制御部
１０５、１２５  ズーム表示バー（状態指標部の一例）
１０６、１２６  表示帯
１０７、１２７  ズーム指標（指標の一例）
１０８ａ、１２８ａ  最大値（焦点距離情報の一例）
１０８ｂ、１２８ｂ  最小値（焦点距離情報の一例）
１０９、１２９  表示メータ
１０９ａ、１２９ａ  メータ枠
２０５、２２５  フォーカス表示バー（状態指標部の一例）
２０６、２２６  表示帯
２０７、２２７  フォーカス指標（指標の一例）
２０８ａ、２２８ａ  最大値（物点距離情報の一例）
２０８ｂ、２２８ｂ  最小値（物点距離情報の一例）
２０９、２２９  表示メータ
２０９ａ、２２９ａ  メータ枠
Ｌ    光学系
Ｌ１  第１レンズ群
Ｌ２  第２レンズ群
Ｌ３  第３レンズ群
Ｌ４  第４レンズ群
【図１】
2012177929.tif 000003
【図２】
2012177929.tif 000004
【図３】
2012177929.tif 000005
【図４】
2012177929.tif 000006
【図５】
2012177929.tif 000007
【図６】
2012177929.tif 000008
【図７】
2012177929.tif 000009
【図８】
2012177929.tif 000010
【図９】
2012177929.tif 000011
【図１０】
2012177929.tif 000012
【図１１】
2012177929.tif 000013
【図１２】
2012177929.tif 000014
【図１３】
2012177929.tif 000015
【図１４】
2012177929.tif 000016
【図１５】
2012177929.tif 000017
【図１６】
2012177929.tif 000018
【図１７】
2012177929.tif 000019
【図１８】
2012177929.tif 000020
【図１９】
2012177929.tif 000021
【図２０】
2012177929.tif 000022
【図２１】
2012177929.tif 000023
【図２２】
2012177929.tif 000024
【図２３】
2012177929.tif 000025
【図２４】
2012177929.tif 000026